(57)【要約】  表示装置（１）において、表示制御回路（２５０）が備えるデータ変換部（２５０ａ）は、黒挿入を行う表示を行う場合のデジタル画像信号（ＤＡ）と、黒挿入を行わない表示を行う場合のデジタル画像信号（ＤＡ）とを、両者のそれぞれの情報が格納されているＲＯＭからの読み出しデータに基づいて異ならせる。これにより、黒挿入を行う表示を行う場合の表示のガンマ特性を調整して、黒挿入を行わない表示を行う場合の表示のガンマ特性に一致させる。
2007099673.tif 000002
【特許請求の範囲】
【請求項１】
表示データに対応した電圧を画素に印加して表示を行うアクティブマトリクス型の表示装置であって、画素ごとに１フレーム内の所定期間だけ黒挿入を行う表示が可能な表示装置において、
上記黒挿入を行う表示を行う場合に、表示のガンマ特性の調整を行うガンマ特性調整手段を備えていることを特徴とする表示装置。
【請求項２】
上記ガンマ特性調整手段は、上記黒挿入を行う表示を行う場合に、上記所定期間以外の期間の上記表示データを調整することにより上記ガンマ特性の上記調整を行うことを特徴とする請求項１に記載の表示装置。
【請求項３】
上記ガンマ特性調整手段は、上記黒挿入を行う表示を行う場合に、上記表示データに対応した電圧として選択する階調基準電圧を調整することにより上記ガンマ特性の上記調整を行うことを特徴とする請求項１に記載の表示装置。
【請求項４】
上記表示データに対応した電圧を、Ｄ／Ａコンバータにより入力デジタル信号に対応するアナログ出力電圧として生成した上記階調基準電圧から選択し、
上記ガンマ特性調整手段は、上記黒挿入を行う表示を行う場合に、上記Ｄ／Ａコンバータに、上記黒挿入を行う表示を行う場合の上記表示データに対応した電圧に対応する上記入力デジタル信号を入力することにより、上記表示データに対応した電圧を調整することを特徴とする請求項３に記載の表示装置。
【請求項５】
上記ガンマ特性調整手段は、上記黒挿入を行う表示を行う場合に、さらに、上記所定期間以外の期間の上記表示データを調整することにより、上記ガンマ特性の上記調整を行うことを特徴とする請求項３または４に記載の表示装置。
【請求項６】
上記ガンマ特性の上記調整により、上記黒挿入を行う表示を行う場合の表示のガンマ特性を、上記黒挿入を行わない表示を行う場合の表示のガンマ特性に一致させることを特徴とする請求項１ないし５のいずれか１項に記載の表示装置。
【請求項７】
表示データに対応した電圧を画素に印加して表示を行うアクティブマトリクス型の表示装置であって、画素ごとに１フレーム内の所定期間だけ黒挿入を行う表示が可能な表示装置において、
上記黒挿入を行わない表示を行う場合に、上記表示データを調整することにより表示のガンマ特性の調整を行うとともに、上記黒挿入を行う表示を行う場合に、上記所定期間以外の期間の上記表示データを調整することにより表示のガンマ特性の調整を行う、ガンマ特性調整手段を備えていることを特徴とする表示装置。
【請求項８】
上記黒挿入を行わない表示を行う場合の上記ガンマ特性の上記調整の結果と、上記黒挿入を行う表示を行う場合の上記ガンマ特性の上記調整の結果とを一致させることを特徴とする請求項７に記載の表示装置。
【請求項９】
上記黒挿入を、上記画素ごとに定めた所定の水平ブランキング期間に印加した電圧により行うことを特徴とする請求項１ないし８のいずれか１項に記載の表示装置。
【請求項１０】
表示データに対応した電圧を画素に印加して表示を行うアクティブマトリクス型の表示装置の駆動方法であって、画素ごとに１フレーム内の所定期間だけ黒挿入を行う表示が可能な表示装置の駆動方法において、
上記黒挿入を行う表示を行う場合に表示のガンマ特性の調整を行うことを特徴とする表示装置の駆動方法。
【請求項１１】
上記黒挿入を行う表示を行う場合に、上記所定期間以外の期間の上記表示データを調整することにより上記ガンマ特性の上記調整を行うことを特徴とする請求項１０に記載の表示装置の駆動方法。
【請求項１２】
上記黒挿入を行う表示を行う場合に、上記表示データに対応した電圧として選択する階調基準電圧を調整することにより上記ガンマ特性の上記調整を行うことを特徴とする請求項１０に記載の表示装置の駆動方法。
【請求項１３】
上記表示データに対応した電圧を、Ｄ／Ａコンバータにより入力デジタル信号に対応するアナログ出力電圧として生成した上記階調基準電圧から選択し、
上記黒挿入を行う表示を行う場合に、上記Ｄ／Ａコンバータに、上記黒挿入を行う表示を行う場合の上記表示データに対応した電圧に対応する上記入力デジタル信号を入力することにより、上記表示データに対応した電圧を調整することを特徴とする請求項１２に記載の表示装置の駆動方法。
【請求項１４】
上記黒挿入を行う表示を行う場合に、さらに、上記所定期間以外の期間の表示データを調整することにより、上記ガンマ特性の上記調整を行うことを特徴とする請求項１２または１３に記載の表示装置の駆動方法。
【請求項１５】
上記ガンマ特性の上記調整により、上記黒挿入を行う表示を行う場合の表示のガンマ特性を、上記黒挿入を行わない表示を行う場合の表示のガンマ特性に一致させることを特徴とする請求項１０ないし１４のいずれか１項に記載の表示装置の駆動方法。
【請求項１６】
表示データに対応した電圧を画素に印加して表示を行うアクティブマトリクス型の表示装置の駆動方法であって、画素ごとに１フレーム内の所定期間だけ黒挿入を行う表示が可能な表示装置の駆動方法において、
上記黒挿入を行わない表示を行う場合に、上記表示データを調整することにより表示のガンマ特性の調整を行うとともに、上記黒挿入を行う表示を行う場合に、上記所定期間以外の期間の上記表示データを調整することにより表示のガンマ特性の調整を行うことを特徴とする表示装置の駆動方法。
【請求項１７】
上記黒挿入を行わない表示を行う場合の上記ガンマ特性の上記調整の結果と、上記黒挿入を行う表示を行う場合の上記ガンマ特性の上記調整の結果とを一致させることを特徴とする請求項１６に記載の表示装置の駆動方法。
【請求項１８】
上記黒挿入を、上記画素ごとに定めた所定の水平ブランキング期間に印加した電圧により行うことを特徴とする請求項１０ないし１７のいずれか１項に記載の表示装置の駆動方法。
【発明の詳細な説明】
【技術分野】
【０００１】
本発明は、薄膜トランジスタ等のスイッチング素子を用いたアクティブマトリクス型の表示装置およびその駆動方法に関し、更に詳しくは、そのような表示装置における動画表示性能の改善に関する。
【背景技術】
【０００２】
ＣＲＴ（Cathode Ray Tube：陰極線管）のようなインパルス型の表示装置においては、個々の画素に着目すると、画像が表示される点灯期間と画像が表示されない消灯期間とが交互に繰り返される。例えば動画の表示が行われた場合にも、１画面分の画像の書き換えが行われる際に消灯期間が挿入されるため、人間の視覚に動いている物体の残像が生じることがない。このため、背景と物体とが明瞭に見分けられ、違和感なく動画が視認される。【０００３】
これに対し、ＴＦＴ（Thin Film Transistor：薄膜トランジスタ）を使用した液晶表示装置のようなホールド型の表示装置では、個々の画素の輝度は各画素容量に保持される電圧によって決まり、画素容量における保持電圧は、一旦書き換えられると１フレーム期間維持される。このようにホールド型の表示装置では、画素データとして画素容量に保持すべき電圧は、一旦書き込まれると次に書き換えられるまで保持されるので、各フレームの画像は、その１フレーム前の画像と時間的に近接することになる。これにより、動画が表示される場合に、人間の視覚には動いている物体の残像が生じる。例えば、動いている物体を表す画像が尾を引くように残像が生じる（以下、この残像を「尾引残像」という）。【０００４】
アクティブマトリクス型の液晶表示装置等のようなホールド型の表示装置では、動画表示の際にこのような尾引残像が生じるので、主として動画表示が行われるテレビ等のディスプレイには従来よりインパルス型の表示装置が採用されるのが一般的である。ところが、近年、テレビ等のディスプレイについて軽量化や薄型化が強く要求されており、そのようなディスプレイについて軽量化や薄型化が容易な液晶表示装置のようなホールド型の表示装置の採用が急速に進んでいる。【０００５】
アクティブマトリクス型の液晶表示装置等のようなホールド型の表示装置において上記の尾引残像を改善する方法として、１フレーム期間中に黒表示を行う期間を挿入する（以下「黒挿入」という）等により液晶表示装置における表示を（擬似的に）インパルス化するという方法が知られている（例えば特許文献１）。
【特許文献１】特開２００３−６６９１８号公報（２００３年３月５日公開）
【特許文献２】特開平９−２４３９９８号公報（１９９７年９月１９日公開）
【特許文献３】特開平１１−８５１１５号公報（１９９９年３月３０日公開）
【特許文献４】特開２００４−２５３８２７号公報（２００４年９月９日公開）
【特許文献５】特開２００１−２９６８４１号公報（２００１年１０月２６日公開）
【特許文献６】特開２００２−８２６５７号公報（２００２年３月２２日公開）
【特許文献７】特開２００４−１６５７４９号公報（２００４年６月１０日公開）
【発明の開示】
【０００６】
また、表示のインパルス化には、次のような構成も考えられる。
【０００７】
図１５は、表示のインパルス化を行う液晶表示装置の構成を、その表示部の等価回路と共に示すブロック図である。この液晶表示装置は、データ信号線駆動回路としてのソースドライバ３００と、走査信号線駆動回路としてのゲートドライバ４００と、アクティブマトリクス形の表示部１００と、ソースドライバ３００およびゲートドライバ４００を制御するための表示制御回路２００と、階調電圧源６００とを備えている。
【０００８】
上記液晶表示装置における表示部１００は、複数本（ｍ本）の走査信号線としてのゲートラインＧＬ１〜ＧＬｍと、それらのゲートラインＧＬ１〜ＧＬｍのそれぞれと交差する複数本（ｎ本）のデータ信号線としてのソースラインＳＬ１〜ＳＬｎと、それらのゲートラインＧＬ１〜ＧＬｍとソースラインＳＬ１〜ＳＬｎとの交差点にそれぞれ対応して設けられた複数個（ｍ×ｎ個）の画素形成部とを含む。これらの画素形成部はマトリクス状に配置されて画素アレイを構成し、各画素形成部は、対応する交差点を通過するゲートラインＧＬｊにゲート端子が接続される共に当該交差点を通過するソースラインＳＬｉにソース端子が接続されたスイッチング素子であるＴＦＴ１０と、そのＴＦＴ１０のドレイン端子に接続された画素電極と、上記複数の画素形成部に共通的に設けられた対向電極である共通電極Ｅｃと、上記複数の画素形成部に共通的に設けられ画素電極と共通電極Ｅｃとの間に挟持された液晶層とからなる。そして、画素電極と共通電極Ｅｃとにより形成される液晶容量により画素容量Ｃｐが構成される。なお、画素容量に確実に電圧を保持すべく、液晶容量に並列に補助容量が設けられていてもよいが、その説明および図示は省略してある。
【０００９】
各画素形成部における画素電極には、ソースドライバ３００およびゲートドライバ４００により、表示すべき画像に応じた電位が与えられ、共通電極Ｅｃには、図示しない電源回路から所定電位Ｖｃｏｍが与えられる。これにより、画素電極と共通電極Ｅｃとの間の電位差に応じた電圧が液晶に印加され、この電圧印加によって液晶層に対する光の透過量が制御されることで画像表示が行われる。ただし、液晶層への電圧印加によって光の透過量を制御するためには偏光板が使用され、本液晶表示装置では、ノーマリブラックとなるように偏光板が配置されているものとする。
【００１０】
表示制御回路２００は、外部の信号源から、表示すべき画像を表すデジタルビデオ信号Ｄｖと、当該デジタルビデオ信号Ｄｖに対応する水平同期信号ＨＳＹおよび垂直同期信号ＶＳＹと、表示動作を制御するための制御信号Ｄｃとを受け取り、それらの信号Ｄｖ，ＨＳＹ，ＶＳＹ，Ｄｃに基づき、そのデジタルビデオ信号Ｄｖの表す画像を表示部１００に表示させるための信号として、データスタートパルス信号ＳＳＰと、データクロック信号ＳＣＫと、チャージシェア制御信号Ｃｓｈと、表示すべき画像を表すデジタル画像信号ＤＡ（ビデオ信号Ｄｖに相当する信号）と、ゲートスタートパルス信号ＧＳＰと、ゲートクロック信号ＧＣＫと、ゲートドライバ出力制御信号ＧＯＥとを生成し出力する。
【００１１】
ビデオ信号Ｄｖは、内部メモリで必要に応じてタイミング調整等が行われた後に、デジタル画像信号ＤＡとして表示制御回路２００から出力される。データクロック信号ＳＣＫは、ソースドライバ３００内のシフトレジスタの動作タイミングを決定する信号として生成される。データスタートパルス信号ＳＳＰは、水平同期信号ＨＳＹに基づいて１水平走査期間毎に所定期間だけハイレベル（Ｈレベル）となりシフトレジスタ内を転送される信号として生成される。ゲートスタートパルス信号ＧＳＰは、垂直同期信号ＶＳＹに基づき１フレーム期間（１垂直走査期間）毎に所定期間だけＨレベルとなる信号として生成される。ゲートクロック信号ＧＣＫは、水平同期信号ＨＳＹに基づいて生成される。チャージシェア制御信号Ｃｓｈおよびゲートドライバ出力制御信号ＧＯＥ（ＧＯＥ１〜ＧＯＥｑ）は、水平同期信号ＨＳＹおよび制御信号Ｄｃに基づいて生成される。
【００１２】
上記のようにして表示制御回路２００において生成された信号のうち、デジタル画像信号ＤＡとチャージシェア制御信号Ｃｓｈとデータスタートパルス信号ＳＳＰおよびデータクロック信号ＳＣＫとは、ソースドライバ３００に入力され、ゲートスタートパルス信号ＧＳＰおよびゲートクロック信号ＧＣＫとゲートドライバ出力制御信号ＧＯＥとは、ゲートドライバ４００に入力される。
【００１３】
ソースドライバ３００は、デジタル画像信号ＤＡとデータスタートパルス信号ＳＳＰおよびデータクロック信号ＳＣＫとに基づき、デジタル画像信号ＤＡの表す画像の各水平走査線における画素値に相当するアナログ電圧としてデータ信号Ｓ(１)〜Ｓ(ｎ)を１水平走査期間毎に順次生成し、これらのデータ信号Ｓ(１)〜Ｓ(ｎ)をソースラインＳＬ１〜ＳＬｎにそれぞれ印加する。ソースドライバ３００は、液晶層への印加電圧の極性が１フレーム期間毎に反転されると共に各フレーム内において１ゲートライン毎かつ１ソースライン毎にも反転されるようにデータ信号Ｓ(１)〜Ｓ(ｎ)が出力される駆動方式すなわちドット反転駆動方式が採用されている。したがって、ソースドライバ３００は、ソースラインＳＬ１〜ＳＬｎへの印加電圧の極性をソースライン毎に反転させ、かつ、各ソースラインＳＬｉに印加されるデータ信号Ｓ（ｉ）の電圧極性を１水平走査期間毎に反転させる。ここで、ソースラインへの印加電圧の極性反転の基準となる電位は、データ信号Ｓ(１)〜Ｓ(ｎ)の直流レベル（直流成分に相当する電位）であり、この直流レベルは、一般的には共通電極Ｅｃの直流レベルとは一致せず、各画素形成部におけるＴＦＴのゲート・ドレイン間の寄生容量Ｃｇｄによる引き込み電圧ΔＶｄだけ共通電極Ｅｃの直流レベルと異なる。ただし、寄生容量Ｃｇｄによる引き込み電圧ΔＶｄが液晶の光学的しきい値電圧Ｖｔｈに対して十分に小さい場合には、データ信号Ｓ(１)〜Ｓ(ｎ)の直流レベルは共通電極Ｅｃの直流レベルに等しいとみなせるので、データ信号Ｓ(１)〜Ｓ(ｎ)の極性すなわちソースラインへの印加電圧の極性は共通電極Ｅｃの電位（対向電圧）を基準として１水平走査期間毎に反転すると考えてもよい。
【００１４】
また、このソースドライバ３００では、消費電力を低減するためにデータ信号Ｓ（１）〜Ｓ（ｎ）の極性反転時に隣接ソースライン間が短絡されるチャージシェアリング方式が採用されている。このため、ソースドライバ３００においてデータ信号Ｓ（１）〜Ｓ（ｎ）を出力する部分である出力部は、図６に示すように構成されている。すなわち、この出力部は、デジタル画像信号ＤＡに基づき生成されたアナログ電圧信号ｄ（１）〜ｄ（ｎ）を受け取り、これらのアナログ電圧信号ｄ（１）〜ｄ（ｎ）をインピーダンス変換することによって、ソースラインＳＬ１〜ＳＬｎで伝達すべき映像信号としてデータ信号Ｓ（１）〜Ｓ（ｎ）を生成し、このインピーダンス変換のための電圧ホロワとしてｎ個の出力バッファ３１を有している。アナログ電圧信号ｄ（１）〜ｄ（ｎ）を生成するための階調基準電圧には、階調電圧源６００によって生成された電圧Ｖ０〜Ｖｐが用いられる。各バッファ３１の出力端子にはスイッチング素子としての第１のＭＯＳトランジスタＳＷａが接続され、各バッファ３１からのデータ信号Ｓ（ｉ）は第１のＭＯＳトランジスタＳＷａを介してソースドライバ３００の出力端子から出力される（ｉ＝１，２，…，ｎ）。また、ソースドライバ３００の隣接する出力端子間は、スイッチング素子としての第２のＭＯＳトランジスタＳＷｂによって接続されている（これにより隣接ソースライン間が第２のＭＯＳトランジスタＳＷｂによって接続されることになる）。そして、これらの出力端子間の第２のＭＯＳトランジスタＳＷｂのゲート端子には、チャージシェア制御信号Ｃｓｈが与えられ、各バッファ３１の出力端子に接続された第１のＭＯＳトランジスタＳＷａのゲート端子には、インバータ３３の出力信号すなわちチャージシェア制御信号Ｃｓｈの論理反転信号が与えられる。
【００１５】
したがって、チャージシェア制御信号Ｃｓｈが非アクティブ（ローレベル）のときには、第１のＭＯＳトランジスタＳＷａがオンし（導通状態となり）、第２のＭＯＳトランジスタＳＷｂがオフする（遮断状態となる）ので、各バッファ３１からのデータ信号は、第１のＭＯＳトランジスタＳＷａを介してソースドライバ３００から出力される。一方、チャージシェア制御信号Ｃｓｈがアクティブ（ハイレベル）のときには、第１のＭＯＳトランジスタＳＷａがオフし（遮断状態となり）、第２のＭＯＳトランジスタＳＷｂがオンする（導通状態となる）ので、各バッファ３１からのデータ信号は出力されず（すなわちデータ信号Ｓ（１）〜Ｓ（ｎ）のソースラインＳＬ１〜ＳＬｎへの印加は遮断され）、表示部１００における隣接ソースラインが、第２のＭＯＳトランジスタＳＷｂを介して短絡される。
【００１６】
ソースドライバ３００では、図３のａに示すように、１水平走査期間（１Ｈ）毎に極性の反転する映像信号としてアナログ電圧信号ｄ（ｉ）が生成され、表示制御回路２００では、図３のｂに示すように、各アナログ電圧信号ｄ（ｉ）の極性の反転時に所定期間（１水平ブランキング期間程度の短い期間）Ｔｓｈだけハイレベル（Ｈレベル）となるチャージシェア制御信号Ｃｓｈが生成される（以下、チャージシェア制御信号ＣｓｈがＨレベルとなる期間を「チャージシェア期間」という）。上記のように、チャージシェア制御信号Ｃｓｈがローレベル（Ｌレベル）のときには各アナログ電圧信号ｄ（ｉ）がデータ信号Ｓ（ｉ）として出力され、チャージシェア制御信号ＣｓｈがＨレベルのときには、データ信号Ｓ（１）〜Ｓ（ｎ）のソースラインＳＬ１〜ＳＬｎへの印加が遮断されると共に隣接ソースラインが互いに短絡される。そして本構成では、ドット反転駆動方式が採用されていることから隣接ソースラインの電圧は互いに逆極性であって、しかも、その絶対値はほぼ等しい。したがって、各データ信号Ｓ（ｉ）の値すなわち各ソースラインＳＬｉの電圧は、チャージシェア期間Ｔｓｈにおいて、黒表示に相当する電圧（以下、単に「黒電圧」ともいう）となる。本液晶表示装置では、各データ信号Ｓ（ｉ）は、データ信号Ｓ（ｉ）の直流レベルＶＳｄｃを基準として極性が反転するので、図３のｃに示すようにチャージシェア期間Ｔｓｈにおいてデータ信号Ｓ（ｉ）の直流レベルＶＳｄｃにほぼ等しくなる。なお、このようにデータ信号の極性反転時に隣接ソースラインを短絡することで各ソースラインの電圧を黒電圧（データ信号Ｓ（ｉ）の直流レベルＶＳｄｃ）に等しくするという構成は、消費電力を低減するための手段として従来より提案されており（例えば特許文献２、３参照）、図６に示した構成に限定されるものではない。
【００１７】
ゲートドライバ４００は、ゲートスタートパルス信号ＧＳＰおよびゲートクロック信号ＧＣＫと、ゲートドライバ出力制御信号ＧＯＥｒ（ｒ＝１，２，…，ｑ）とに基づき、各データ信号Ｓ（１）〜Ｓ（ｎ）を各画素形成部（の画素容量）に書き込むために、デジタル画像信号ＤＡの各フレーム期間（各垂直走査期間）においてゲートラインＧＬ１〜ＧＬｍをほぼ１水平走査期間ずつ順次選択すると共に、後述の黒挿入のために、データ信号Ｓ（ｉ）の極性反転時に所定期間だけゲートラインＧＬｊを選択する（ｊ＝１〜ｍ）。すなわち、ゲートドライバ４００は、図３のｄ・ｅに示すような画素データ書込パルスＰｗと黒電圧印加パルスＰｂとを含む走査信号Ｇ（１）〜Ｇ（ｍ）をゲートラインＧＬ１〜ＧＬｍにそれぞれ印加し、これらのパルスＰｗ，Ｐｂが印加されているゲートラインＧＬｊは選択状態となり、選択状態のゲートラインＧＬｊに接続されたＴＦＴ１０がオン状態となる（非選択状態のゲートラインに接続されたＴＦＴ１０はオフ状態となる）。ここで、画素データ書込パルスＰｗは水平走査期間（１Ｈ）のうち表示期間に相当する有効走査期間でＨレベルとなるのに対し、黒電圧印加パルスＰｂは水平走査期間（１Ｈ）のうちブランキング期間に相当するチャージシェア期間Ｔｓｈ内でＨレベルとなる。本構成では図３のｄ・ｅに示すように、各走査信号Ｇ（ｊ）において、画素データ書込パルスＰｗと当該画素データ書込パルスＰｗの後に最初に現れる黒電圧印加パルスＰｂとの間は２／３フレーム期間であり、黒電圧印加パルスＰｂは、１フレーム期間（１Ｖ）において１水平走査期間（１Ｈ）の間隔で続いて３個現れる。
【００１８】
次に図３を参照しつつ、上記のソースドライバ３００およびゲートドライバ４００による表示部１００（図１５参照）の駆動について説明する。表示部１００における各画素形成部では、それに含まれるＴＦＴ１０のゲート端子に接続されるゲートラインＧＬｊに画素データ書込パルスＰｗが印加されることにより、当該ＴＦＴ１０がオンし、当該ＴＦＴ１０のソース端子に接続されるソースラインＳＬｉの電圧がデータ信号Ｓ（ｉ）の値として当該画素形成部に書き込まれる。すなわちソースラインＳＬｉの電圧が画素容量Ｃｐに保持される。その後、当該ゲートラインＧＬｊは黒電圧印加パルスＰｂが現れるまでの期間Ｔｈｄは非選択状態となるので、当該画素形成部に書き込まれた電圧がそのまま保持される。
【００１９】
黒電圧印加パルスＰｂは、その非選択状態の期間（以下「画素データ保持期間」という）Ｔｈｄの後のチャージシェア期間ＴｓｈにゲートラインＧＬｊに印加される。既述のようにチャージシェア期間Ｔｓｈでは、各データ信号Ｓ（ｉ）の値すなわち各ソースラインＳＬｉの電圧は、データ信号Ｓ（ｉ）の直流レベルにほぼ等しくなる（すなわち黒電圧となる）。したがって、当該ゲートラインＧＬｊへの黒電圧印加パルスＰｂの印加により、当該画素形成部の画素容量Ｃｐに保持される電圧は黒電圧に向かって変化する。しかし、黒電圧印加パルスＰｂのパルス幅は短いので、画素容量Ｃｐにおける保持電圧を確実に黒電圧にするために、図３のｄ・ｅに示すように、各フレーム期間において１水平走査期間（１Ｈ）間隔で３個の黒電圧印加パルスＰｂが続けて当該ゲートラインＧＬｊに印加される。これにより、当該ゲートラインＧＬｊに接続される画素形成部によって形成される画素の輝度（画素容量での保持電圧によって決まる透過光量）Ｌ（ｊ，ｉ）は、図３のｆに示すように変化する。
【００２０】
したがって、各ゲートラインＧＬｊに接続される画素形成部に対応する１表示ラインにおいて、画素データ保持期間Ｔｈｄではデジタル画像信号ＤＡに基づく表示が行われ、その後に上記３個の黒電圧印加パルスＰｂが印加されてから次に当該ゲートラインＧＬｊに画素データ書込パルスＰｗが印加される時点までの期間Ｔｂｋでは黒表示が行われる。このようにして、黒表示の行われる期間（以下「黒表示期間」という）Ｔｂｋが各フレーム期間に挿入されることにより、液晶表示装置による表示のインパルス化が行われる。
【００２１】
図３のｄ・ｅからもわかるように、画素データ書込パルスＰｗの現れる時点は走査信号Ｇ（ｊ）毎に１水平走査期間（１Ｈ）ずつずれているので、黒電圧印加パルスＰｂの現れる時点も走査信号Ｇ（ｊ）毎に１水平走査期間（１Ｈ）ずつずれている。したがって、黒表示期間Ｔｂｋも１表示ライン毎に１水平走査期間（１Ｈ）ずつずれて、全ての表示ラインにつき同じ長さの黒挿入が行われる。このようにして、画素データ書込のための画素容量Ｃｐでの充電期間を短縮することなく、十分な黒挿入期間が確保される。また、黒挿入のためにソースドライバ３００等の動作速度を上げる必要もない。
【００２２】
図３に示したインパルス化の構成では、データ信号の極性反転時の黒信号挿入期間には各データ信号線の電圧は黒表示に相当する値となっており、各走査信号線は、画素値書込のために有効走査期間で選択されてから所定の画素値保持期間が経過した後に少なくとも１回は黒信号挿入期間で選択状態となる。これにより、次に画素値書込のために有効走査期間で選択状態となるまでは黒表示の期間となるので、全ての表示ラインにつき同じ長さの黒挿入を行い、画素値書込のための画素容量での充電期間を短縮することなく、十分な黒挿入期間の確保によるインパルス化によって動画像の表示性能を改善することができる。
【００２３】
しかしながら、このような黒挿入による表示のインパルス化を行うと、当該インパルス化を行わない場合と比較して、表示のガンマ特性が劣化するという問題がある。
【００２４】
図１６に、黒挿入による表示のインパルス化を行わない場合（ｏｆｆ：実線）と行う場合（ｏｎ：破線）とのそれぞれについて、表示のガンマ特性曲線を示す。当該ガンマ特性曲線において、横軸は表示データの階調を最大階調で規格化した値を表し、縦軸は、実際に認識される表示輝度を最大輝度で規格化した輝度比を表している。一般的な表示装置ではガンマの設定値は２．２であり、通常のインパルス化を行わないホールドモード（ｏｆｆ）でのガンマはそれに合わせるとする。その場合、それを元にインパルス駆動（ｏｎ）に切り替えた場合には図中太矢印で示すようにガンマ特性がガンマ値（γ）が２．２よりも大きくなる側に変動する。ガンマ値２．２は、高表示品位が得られる好ましい値である。
【００２５】
従って、黒挿入による表示のインパルス化を行う場合には、当該インパルス化を行わない場合と比較して、表示データの階調の変化に対する輝度変化が不自然なものとなり、表示品質が劣化してしまう。
【００２６】
本発明は、上記の問題点に鑑みてなされたものであり、その目的は、黒挿入による表示のインパルス化を行う場合に表示のガンマ特性を向上させることができる表示装置、およびその駆動方法を実現することにある。
【００２７】
本発明の表示装置は、上記課題を解決するために、表示データに対応した電圧を画素に印加して表示を行うアクティブマトリクス型の表示装置であって、画素ごとに１フレーム内の所定期間だけ黒挿入を行う表示が可能な表示装置において、上記黒挿入を行う表示を行う場合に、表示のガンマ特性の調整を行うガンマ特性調整手段を備えていることを特徴としている。
【００２８】
上記の発明によれば、画素ごとに１フレーム内の所定期間だけ黒挿入を行う表示を行う場合、すなわち、黒挿入による表示のインパルス化を行う場合に、ガンマ特性調整手段が表示のガンマ特性を調整する。これにより、黒挿入を行う表示を行う場合のガンマ特性を向上させることができる。
【００２９】
本発明の表示装置の駆動方法は、上記課題を解決するために、表示データに対応した電圧を画素に印加して表示を行うアクティブマトリクス型の表示装置の駆動方法であって、画素ごとに１フレーム内の所定期間だけ黒挿入を行う表示が可能な駆動装置の駆動方法において、上記黒挿入を行う表示を行う場合に表示のガンマ特性の調整を行うことを特徴としている。
【００３０】
上記の発明によれば、画素ごとに１フレーム内の所定期間だけ黒挿入を行う表示を行う場合、すなわち、黒挿入による表示のインパルス化を行う場合に、表示のガンマ特性を調整する。これにより、黒挿入を行う表示を行う場合のガンマ特性を向上させることができる。
【００３１】
以上により、黒挿入による表示のインパルス化を行う場合に表示のガンマ特性を向上させることができる表示装置の駆動方法を実現することができるという効果を奏する。
【００３２】
以上により、黒挿入による表示のインパルス化を行う場合に表示のガンマ特性を向上させることができる表示装置を実現することができるという効果を奏する。
【００３３】
本発明のさらに他の目的、特徴、および優れた点は、以下に示す記載によって十分わかるであろう。また、本発明の利益は、添付図面を参照した次の説明で明白になるであろう。
【図面の簡単な説明】
【００３４】
【図１】本発明の実施形態を示すものであり、表示装置の要部構成を示すブロック図である。
【図２】表示装置が備えるソースドライバの構成を示すブロック図である。
【図３】黒挿入を行う表示を行う場合の表示装置の動作を示すタイミングチャートである。
【図４】黒挿入を行う表示を行う場合のガンマ特性の調整を説明する第１のグラフである。
【図５】黒挿入を行う表示を行う場合および行わない場合のガンマ特性の調整を説明する第２のグラフである。
【図６】ソースドライバが備える出力部の第１の構成例を示す回路図である。
【図７】ソースドライバが備える出力部の第２の構成例を示す回路図である。
【図８】ソースドライバが備える出力部の第３の構成例を示す回路図である。
【図９（ａ）】表示装置が備えるゲートドライバの構成を示すブロック図である。
【図９（ｂ）】表示装置が備えるゲートドライバの構成を示すブロック図である。
【図１０】黒挿入を行う表示を行う場合のゲートドライバの動作を示すタイミングチャートである。
【図１１】本発明の他の実施形態を示すものであり、表示装置の要部構成を示すブロック図である。
【図１２】図１１の表示装置が備える階調電圧源の構成例を示す回路ブロック図である。
【図１３】図１２の階調電圧源が備えるＤ／Ａコンバータ部の構成例を示す回路図である。
【図１４】本発明のさらに他の実施形態を示すものであり、表示装置の要部構成を示すブロック図である。
【図１５】従来技術を示すものであり、表示装置の要部構成を示すブロック図である。
【図１６】黒挿入を行う表示を行う場合のガンマ特性の変動を説明するグラフである。
【符号の説明】
【００３５】
１、１１、２１      液晶表示装置（表示装置）
２５０、２５１、２５２
表示制御回路（ガンマ特性調整手段）
【発明を実施するための最良の形態】
【００３６】
〔実施の形態１〕
本発明の一実施形態について図１ないし図１０に基づいて説明すると以下の通りである。【００３７】
図１は、本実施形態に係る表示装置としての液晶表示装置１の構成をその表示部の等価回路と共に示すブロック図である。この液晶表示装置１は、データ信号線駆動回路としてのソースドライバ３００と、走査信号線駆動回路としてのゲートドライバ４００と、アクティブマトリクス形の表示部１００と、ソースドライバ３００およびゲートドライバ４００を制御するための表示制御回路（ガンマ特性調整手段）２５０と、ＲＯＭ５００と、階調電圧源６００とを備えている。液晶表示装置１は、この構成を備えることにより、黒挿入による表示のインパルス化を行うモードと、当該インパルス化を行わないモードとの両方のモードを切り替えて実行することができるものである。本実施形態では、黒挿入による表示のインパルス化を一例としてチャージシェア期間を利用してそのタイミングで黒を書き込む方式を用い本発明に関しての説明を行っているが、チャージシェアは必ずしも行う必要はなく、黒挿入を行って表示のインパルス化を行いさえすればよい。また、挿入する黒も、必ずしも最小輝度に対応する電圧でなくてよく、最小輝度から所定範囲内にある輝度に対応する電圧に最終的に達すればよい。以下、黒挿入による表示のインパルス化を単にインパルス化と呼ぶ。【００３８】
上記液晶表示装置１における表示部１００は、複数本（ｍ本）の走査信号線としてのゲートラインＧＬ１〜ＧＬｍと、それらのゲートラインＧＬ１〜ＧＬｍのそれぞれと交差する複数本（ｎ本）のデータ信号線としてのソースラインＳＬ１〜ＳＬｎと、それらのゲートラインＧＬ１〜ＧＬｍとソースラインＳＬ１〜ＳＬｎとの交差点にそれぞれ対応して設けられた複数個（ｍ×ｎ個）の画素形成部とを含む。これらの画素形成部はマトリクス状に配置されて画素アレイを構成し、各画素形成部は、対応する交差点を通過するゲートラインＧＬｊにゲート端子が接続される共に当該交差点を通過するソースラインＳＬｉにソース端子が接続されたスイッチング素子であるＴＦＴ１０と、そのＴＦＴ１０のドレイン端子に接続された画素電極と、上記複数の画素形成部に共通的に設けられた対向電極である共通電極Ｅｃと、上記複数の画素形成部に共通的に設けられ画素電極と共通電極Ｅｃとの間に挟持された液晶層とからなる。そして、画素電極と共通電極Ｅｃとにより形成される液晶容量により画素容量Ｃｐが構成される。なお、画素容量に確実に電圧を保持すべく、液晶容量に並列に補助容量が設けられていてもよいが、その説明および図示は省略してある。【００３９】
各画素形成部における画素電極には、後述のように動作するソースドライバ３００およびゲートドライバ４００により、表示すべき画像に応じた電位が与えられ、共通電極Ｅｃには、図示しない電源回路から所定電位Ｖｃｏｍが与えられる。これにより、画素電極と共通電極Ｅｃとの間の電位差に応じた電圧が液晶に印加され、この電圧印加によって液晶層に対する光の透過量が制御されることで画像表示が行われる。ただし、液晶層への電圧印加によって光の透過量を制御するためには偏光板が使用され、本構成に係る液晶表示装置１では、ノーマリブラックとなるように偏光板が配置されているものとする。【００４０】
表示制御回路２５０は、外部の信号源から、表示すべき画像を表すデジタルビデオ信号Ｄｖと、当該デジタルビデオ信号Ｄｖに対応する水平同期信号ＨＳＹおよび垂直同期信号ＶＳＹと、表示動作を制御するための制御信号Ｄｃとを受け取り、それらの信号Ｄｖ，ＨＳＹ，ＶＳＹ，Ｄｃに基づき、そのデジタルビデオ信号Ｄｖの表す画像を表示部１００に表示させるための信号として、データスタートパルス信号ＳＳＰと、データクロック信号ＳＣＫと、チャージシェア制御信号Ｃｓｈと、表示すべき画像を表すデジタル画像信号ＤＡ（ビデオ信号Ｄｖに相当する信号）と、ゲートスタートパルス信号ＧＳＰと、ゲートクロック信号ＧＣＫと、ゲートドライバ出力制御信号ＧＯＥとを生成し出力する。【００４１】
ビデオ信号Ｄｖは、内部メモリで必要に応じてタイミング調整等が行われた後に、デジタル画像信号ＤＡとして表示制御回路２５０から出力される。表示制御回路２５０はデータ変換部２５０ａを備えており、このデータ変換部２５０ａが、ビデオ信号Ｄｖに対応するデジタル画像信号ＤＡを、表示制御回路２５０の外部のＲＯＭ５００から読み出した情報に基づいて出力する。なお、ＲＯＭ５００は表示制御回路２５０の内部に設けられていてもよい。【００４２】
ここでは、一例として、ビデオ信号Ｄｖを擬似的にそれよりも高精細のデジタル画像信号ＤＡに変換するフレーム・レート・コントロールの例を説明する。上記フレーム・レート・コントロールでは、例えば８ビットのビデオ信号Ｄｖでは表せない精度の階調を表示データに含ませたい場合に、データ変換部２５０ａにより該８ビットの階調データ列を１フレーム内の時分割データ列に変換すれば、８ビットの階調データを用いて擬似的に例えば１０ビットといったより多ビットの精度の階調を表現することができる。そして、ＲＯＭ５００には、データ変換部２５０が要求する擬似的な１０ビットのデジタル画像信号ＤＡに対応した８ビットのデジタル画像信号の時分割データ列の情報が予め格納されている。データ変換部２５０ａは、ＲＯＭ５００から読み出した情報に基づいて、変換後の８ビットの時分割データ列をデジタル画像信号ＤＡのデータ列として出力する。【００４３】
データクロック信号ＳＣＫは、ソースドライバ３００内のシフトレジスタの動作タイミングを決定する信号として生成される。データスタートパルス信号ＳＳＰは、水平同期信号ＨＳＹに基づいて１水平走査期間毎に所定期間だけハイレベル（Ｈレベル）となりシフトレジスタ内を転送される信号として生成される。ゲートスタートパルス信号ＧＳＰは、垂直同期信号ＶＳＹに基づき１フレーム期間（１垂直走査期間）毎に所定期間だけＨレベルとなる信号として生成される。ゲートクロック信号ＧＣＫは、水平同期信号ＨＳＹに基づいて生成される。チャージシェア制御信号Ｃｓｈおよびゲートドライバ出力制御信号ＧＯＥ（ＧＯＥ１〜ＧＯＥｑ）は、水平同期信号ＨＳＹおよび制御信号Ｄｃに基づいて生成される。【００４４】
上記のようにして表示制御回路２５０において生成された信号のうち、デジタル画像信号ＤＡとチャージシェア制御信号Ｃｓｈとデータスタートパルス信号ＳＳＰおよびデータクロック信号ＳＣＫとは、ソースドライバ３００に入力され、ゲートスタートパルス信号ＧＳＰおよびゲートクロック信号ＧＣＫとゲートドライバ出力制御信号ＧＯＥとは、ゲートドライバ４００に入力される。【００４５】
ソースドライバ３００は、図２に示すように、データ信号生成部３０２と出力部３０４とから構成されている。データ信号生成部３０２は、データスタートパルス信号ＳＳＰおよびデータクロック信号ＳＣＫに基づきデジタル画像信号ＤＡから、ソースラインＳＬ１〜ＳＬｎにそれぞれ対応するアナログ電圧信号ｄ（１）〜ｄ（ｎ）を生成する。アナログ電圧信号ｄ（１）〜ｄ（ｎ）として選択するための階調基準電圧には、階調電圧源６００によって生成された電圧Ｖ０〜Ｖｐが用いられる。出力部３０４は、データ信号生成部３０２で生成されるアナログ電圧信号ｄ（ｉ）毎に設けられた電圧ホロワからなる出力バッファを含み、このバッファにより各アナログ電圧信号ｄ（ｉ）をインピーダンス変換しデータ信号Ｓ（ｉ）として出力する（ｉ＝１，２，…，ｎ）。ただし、後述のように、チャージシェア制御信号Ｃｓｈに基づき、チャージシェア期間Ｔｓｈにおいて、データ信号Ｓ（１）〜Ｓ（ｎ）のソースラインＳＬ１〜ＳＬｎへの印加が遮断されると共に、ソースラインＳＬ１〜ＳＬｎが互いに短絡される。出力部３０４には、このような動作を実現するためのスイッチ回路と電源が含まれている（詳細は後述）。【００４６】
ソースドライバ３００は、液晶層への印加電圧の極性が１フレーム期間毎に反転されると共に各フレーム内において１ゲートライン毎かつ１ソースライン毎にも反転されるようにデータ信号Ｓ(１)〜Ｓ(ｎ)が出力される駆動方式すなわちドット反転駆動方式が採用されている。したがって、ソースドライバ３００は、ソースラインＳＬ１〜ＳＬｎへの印加電圧の極性をソースライン毎に反転させ、かつ、各ソースラインＳＬｉに印加されるデータ信号Ｓ（ｉ）の電圧極性を１水平走査期間毎に反転させる。ここで、ソースラインへの印加電圧の極性反転の基準となる電位は、データ信号Ｓ(１)〜Ｓ(ｎ)の直流レベル（直流成分に相当する電位）であり、この直流レベルは、一般的には共通電極Ｅｃの直流レベルとは一致せず、各画素形成部におけるＴＦＴのゲート・ドレイン間の寄生容量Ｃｇｄによる引き込み電圧ΔＶｄだけ共通電極Ｅｃの直流レベルと異なる。ただし、寄生容量Ｃｇｄによる引き込み電圧ΔＶｄが液晶の光学的しきい値電圧Ｖｔｈに対して十分に小さい場合には、データ信号Ｓ(１)〜Ｓ(ｎ)の直流レベルは共通電極Ｅｃの直流レベルに等しいとみなせるので、データ信号Ｓ(１)〜Ｓ(ｎ)の極性すなわちソースラインへの印加電圧の極性は共通電極Ｅｃの電位（対向電圧）を基準として１水平走査期間毎に反転すると考えてもよい。【００４７】
また、このソースドライバ３００では、消費電力を低減するためにデータ信号Ｓ（１）〜Ｓ（ｎ）の極性反転時に隣接ソースライン間が短絡されるチャージシェアリング方式が採用されている。このため、ソースドライバ３００の出力部３０４は、図６に示すように構成されている。すなわち、この出力部は、デジタル画像信号ＤＡに基づき生成されたアナログ電圧信号ｄ（１）〜ｄ（ｎ）を受け取り、これらのアナログ電圧信号ｄ（１）〜ｄ（ｎ）をインピーダンス変換することによって、ソースラインＳＬ１〜ＳＬｎで伝達すべき映像信号としてデータ信号Ｓ（１）〜Ｓ（ｎ）を生成し、このインピーダンス変換のための電圧ホロワとしてｎ個の出力バッファ３１を有している。各バッファ３１の出力端子にはスイッチング素子としての第１のＭＯＳトランジスタＳＷａが接続され、各バッファ３１からのデータ信号Ｓ（ｉ）は第１のＭＯＳトランジスタＳＷａを介してソースドライバ３００の出力端子から出力される（ｉ＝１，２，…，ｎ）。また、ソースドライバ３００の隣接する出力端子間は、スイッチング素子としての第２のＭＯＳトランジスタＳＷｂによって接続されている（これにより隣接ソースライン間が第２のＭＯＳトランジスタＳＷｂによって接続されることになる）。そして、これらの出力端子間の第２のＭＯＳトランジスタＳＷｂのゲート端子には、チャージシェア制御信号Ｃｓｈが与えられ、各バッファ３１の出力端子に接続された第１のＭＯＳトランジスタＳＷａのゲート端子には、インバータ３３の出力信号すなわちチャージシェア制御信号Ｃｓｈの論理反転信号が与えられる。【００４８】
したがって、チャージシェア制御信号Ｃｓｈが非アクティブ（ローレベル）のときには、第１のＭＯＳトランジスタＳＷａがオンし（導通状態となり）、第２のＭＯＳトランジスタＳＷｂがオフする（遮断状態となる）ので、各バッファ３１からのデータ信号は、第１のＭＯＳトランジスタＳＷａを介してソースドライバ３００から出力される。一方、チャージシェア制御信号Ｃｓｈがアクティブ（ハイレベル）のときには、第１のＭＯＳトランジスタＳＷａがオフし（遮断状態となり）、第２のＭＯＳトランジスタＳＷｂがオンする（導通状態となる）ので、各バッファ３１からのデータ信号は出力されず（すなわちデータ信号Ｓ（１）〜Ｓ（ｎ）のソースラインＳＬ１〜ＳＬｎへの印加は遮断され）、表示部１００における隣接ソースラインが、第２のＭＯＳトランジスタＳＷｂを介して短絡される。【００４９】
ソースドライバ３００では、図３のａに示すように、１水平走査期間（１Ｈ）毎に極性の反転する映像信号としてアナログ電圧信号ｄ（ｉ）が生成され、表示制御回路２５０では、図３のｂに示すように、各アナログ電圧信号ｄ（ｉ）の極性の反転時に所定期間（１水平ブランキング期間程度の短い期間）Ｔｓｈだけハイレベル（Ｈレベル）となるチャージシェア制御信号Ｃｓｈが生成される（以下、チャージシェア制御信号ＣｓｈがＨレベルとなる期間を「チャージシェア期間」という）。上記のように、チャージシェア制御信号Ｃｓｈがローレベル（Ｌレベル）のときには各アナログ電圧信号ｄ（ｉ）がデータ信号Ｓ（ｉ）として出力され、チャージシェア制御信号ＣｓｈがＨレベルのときには、データ信号Ｓ（１）〜Ｓ（ｎ）のソースラインＳＬ１〜ＳＬｎへの印加が遮断されると共に隣接ソースラインが互いに短絡される。そして本構成では、ドット反転駆動方式が採用されていることから隣接ソースラインの電圧は互いに逆極性であって、しかも、その絶対値はほぼ等しい。したがって、各データ信号Ｓ（ｉ）の値すなわち各ソースラインＳＬｉの電圧は、チャージシェア期間Ｔｓｈにおいて、黒表示に相当する電圧（以下、単に「黒電圧」ともいう）となる。本液晶表示装置１では、各データ信号Ｓ（ｉ）は、データ信号Ｓ（ｉ）の直流レベルＶＳｄｃを基準として極性が反転するので、図３のｃに示すようにチャージシェア期間Ｔｓｈにおいてデータ信号Ｓ（ｉ）の直流レベルＶＳｄｃにほぼ等しくなる。なお、このようにデータ信号の極性反転時に隣接ソースラインを短絡することで各ソースラインの電圧を黒電圧（データ信号Ｓ（ｉ）の直流レベルＶＳｄｃ）に等しくするという構成は、消費電力を低減するための手段として従来より提案されており（例えば特許文献２、３参照）、図６に示した構成に限定されるものではない。【００５０】
ゲートドライバ４００は、ゲートスタートパルス信号ＧＳＰおよびゲートクロック信号ＧＣＫと、ゲートドライバ出力制御信号ＧＯＥｒ（ｒ＝１，２，…，ｑ）とに基づき、各データ信号Ｓ（１）〜Ｓ（ｎ）を各画素形成部（の画素容量）に書き込むために、デジタル画像信号ＤＡの各フレーム期間（各垂直走査期間）においてゲートラインＧＬ１〜ＧＬｍをほぼ１水平走査期間ずつ順次選択すると共に、後述の黒挿入のために、データ信号Ｓ（ｉ）の極性反転時に所定期間だけゲートラインＧＬｊを選択する（ｊ＝１〜ｍ）。すなわち、ゲートドライバ４００は、図３のｄ・ｅに示すような画素データ書込パルスＰｗと黒電圧印加パルスＰｂとを含む走査信号Ｇ（１）〜Ｇ（ｍ）をゲートラインＧＬ１〜ＧＬｍにそれぞれ印加し、これらのパルスＰｗ，Ｐｂが印加されているゲートラインＧＬｊは選択状態となり、選択状態のゲートラインＧＬｊに接続されたＴＦＴ１０がオン状態となる（非選択状態のゲートラインに接続されたＴＦＴ１０はオフ状態となる）。ここで、画素データ書込パルスＰｗは水平走査期間（１Ｈ）のうち表示期間に相当する有効走査期間でＨレベルとなるのに対し、黒電圧印加パルスＰｂは水平走査期間（１Ｈ）のうちブランキング期間に相当するチャージシェア期間Ｔｓｈ内でＨレベルとなる。本構成では図３のｄ・ｅに示すように、各走査信号Ｇ（ｊ）において、画素データ書込パルスＰｗと当該画素データ書込パルスＰｗの後に最初に現れる黒電圧印加パルスＰｂとの間は２／３フレーム期間であり、黒電圧印加パルスＰｂは、１フレーム期間（１Ｖ）において１水平走査期間（１Ｈ）の間隔で続いて３個現れる。【００５１】
なお、ゲートドライバ４００の詳細な構成については後述する。【００５２】
次に図３を参照しつつ、上記のソースドライバ３００およびゲートドライバ４００による表示部１００（図１参照）の駆動について説明する。表示部１００における各画素形成部では、それに含まれるＴＦＴ１０のゲート端子に接続されるゲートラインＧＬｊに画素データ書込パルスＰｗが印加されることにより、当該ＴＦＴ１０がオンし、当該ＴＦＴ１０のソース端子に接続されるソースラインＳＬｉの電圧がデータ信号Ｓ（ｉ）の値として当該画素形成部に書き込まれる。すなわちソースラインＳＬｉの電圧が画素容量Ｃｐに保持される。その後、当該ゲートラインＧＬｊは黒電圧印加パルスＰｂが現れるまでの期間Ｔｈｄは非選択状態となるので、当該画素形成部に書き込まれた電圧がそのまま保持される。【００５３】
黒電圧印加パルスＰｂは、その非選択状態の期間（以下「画素データ保持期間」という）Ｔｈｄの後のチャージシェア期間ＴｓｈにゲートラインＧＬｊに印加される。既述のようにチャージシェア期間Ｔｓｈでは、各データ信号Ｓ（ｉ）の値すなわち各ソースラインＳＬｉの電圧は、データ信号Ｓ（ｉ）の直流レベルにほぼ等しくなる（すなわち黒電圧となる）。したがって、当該ゲートラインＧＬｊへの黒電圧印加パルスＰｂの印加により、当該画素形成部の画素容量Ｃｐに保持される電圧は黒電圧に向かって変化する。しかし、黒電圧印加パルスＰｂのパルス幅は短いので、画素容量Ｃｐにおける保持電圧を確実に黒電圧にするために、図３のｄ・ｅに示すように、各フレーム期間において１水平走査期間（１Ｈ）間隔で３個の黒電圧印加パルスＰｂが続けて当該ゲートラインＧＬｊに印加される。これにより、当該ゲートラインＧＬｊに接続される画素形成部によって形成される画素の輝度（画素容量での保持電圧によって決まる透過光量）Ｌ（ｊ，ｉ）は、図３のｆに示すように変化する。【００５４】
したがって、各ゲートラインＧＬｊに接続される画素形成部に対応する１表示ラインにおいて、画素データ保持期間Ｔｈｄではデジタル画像信号ＤＡに基づく表示が行われ、その後に上記３個の黒電圧印加パルスＰｂが印加されてから次に当該ゲートラインＧＬｊに画素データ書込パルスＰｗが印加される時点までの期間Ｔｂｋでは黒表示が行われる。このようにして、黒表示の行われる期間（以下「黒表示期間」という）Ｔｂｋが各フレーム期間に挿入されることにより、液晶表示装置１による表示のインパルス化が行われる。【００５５】
図３のｄ・ｅからもわかるように、画素データ書込パルスＰｗの現れる時点は走査信号Ｇ（ｊ）毎に１水平走査期間（１Ｈ）ずつずれているので、黒電圧印加パルスＰｂの現れる時点も走査信号Ｇ（ｊ）毎に１水平走査期間（１Ｈ）ずつずれている。したがって、黒表示期間Ｔｂｋも１表示ライン毎に１水平走査期間（１Ｈ）ずつずれて、全ての表示ラインにつき同じ長さの黒挿入が行われる。このようにして、画素データ書込のための画素容量Ｃｐでの充電期間を短縮することなく、十分な黒挿入期間が確保される。また、黒挿入のためにソースドライバ３００等の動作速度を上げる必要もない。【００５６】
上記の構成の液晶表示装置１において、表示制御回路２５０のデータ変換部２５０ａは、ビデオ信号Ｄｖに対応させてＲＯＭ５００から読み出すデジタル画像信号ＤＡの情報を、インパルス化を行うモードと行わないモードとで異なるものとする。このモードの切り替えは、図１に示すように、表示制御回路２５０の外部からデータ変換部２５０ａに入力される、インパルス化のｏｎ／ｏｆｆの切り替えを制御する制御信号ＣＳＩon/offに基づいて行う。インパルス化を行うモードでは、表示のガンマ特性を調整するために、ＲＯＭ５００に予め格納されたインパルス化を行うモード用のガンマ特性に対応するデータ列の情報を読み出して、擬似多ビット化したビデオ信号Ｄｖからデジタル画像信号ＤＡへの変換を行う。また、当該インパルス化を行わないモードでは、ＲＯＭ５００に予め格納されたインパルス化を行わないモード用のガンマ特性に対応するデータ列の情報を読み出して、擬似多ビット化したビデオ信号Ｄｖからデジタル画像信号ＤＡへの変換を行う。【００５７】
図４に、このガンマ特性の調整の第１の例を説明するための図を示す。【００５８】
図４において、横軸は表示データの階調を最大階調で規格化した値を表し、縦軸は、実際に認識される表示輝度を最大輝度で規格化した輝度比を表している。実線で示すガンマ特性曲線Ｅ１はインパルス化を行わないモード（ｏｆｆ）での特性を示し、ガンマ値（γ）は２．２である。また、破線で示すガンマ特性曲線Ｅ２はインパルス化を行うモード（ｏｎ）での特性を示し、ガンマ値（γ）は２．２よりも大きい。両曲線とも、同じく、各階調に対応した電圧が階調電圧源６００の階調基準電圧に設定されたときに得られるものである。本実施形態では、インパルス化を行うモードにおいて、変動するガンマ特性に対して、ガンマ特性曲線Ｅ２をガンマ特性曲線Ｅ１に一致させる調整を行う。【００５９】
ガンマ特性曲線Ｅ２をガンマ特性曲線Ｅ１に一致させる調整を行うのに、データ変換部２５０ａは、インパルス化を行うモードであることを示す情報と、擬似１０ビット化したデータ列の情報とを、ＲＯＭ５００に送る。ＲＯＭ５００からは、図４において、ガンマ特性曲線Ｅ２の階調ｎに対応する点Ａの輝度比が、ガンマ特性曲線Ｅ１の階調ｎに対応する点Ｂの輝度比に変換されて得られるようにしたいので、ＲＯＭ５００は、データ変換部２５０ａからの、ガンマ特性曲線Ｅ２の点Ａの階調ｎ（規格化階調）に対応するデータの読み出し要求を、ガンマ特性曲線Ｅ２上でガンマ特性曲線Ｅ１の点Ｂと同じ輝度比が得られる点Ｃの階調ｎ＋ｋ（規格化階調）の読み出し要求であると読み替える。このようにして、ＲＯＭ５００は、擬似１０ビット化したデータ列に対応する８ビットの時分割データ列の情報をデータ変換部２５０ａに返す応答を行う。一方、インパルス化を行わないモードでは、ＲＯＭ５００は、データ変換部２５０ａから読み出し要求のあったデータ列の情報について、ガンマ特性曲線Ｅ１の、擬似１０ビット化したデータ列に対応する８ビットの時分割データ列の情報をデータ変換部２５０ａに返す。【００６０】
次に、図５を用いて、ガンマ特性の調整の第２の例について説明する。【００６１】
インパルス化を行うモードにおいて、図５に太矢印で示すように、インパルス化を行わないモードからのガンマ特性の変動が大きすぎる場合には、変動するガンマ特性をガンマ値２．２の曲線に調整しきれない可能性がある。このような場合に、図５に示すように、インパルス化を行わないモードにおいてガンマ特性の調整を行わないで、各階調に対応する電圧を基準電圧としたときに得られるガンマ特性曲線Ｆ０を、ガンマ値１．５といった２．２よりも小さなガンマ値の曲線となるようにしておく。そして、インパルス化を行わないモードにおいては、ガンマ特性曲線Ｆ０を、ガンマ値２．２のガンマ特性曲線Ｆ１に調整するようにする。このようにすれば、インパルス化を行うモードにおいて変動して得られるガンマ特性曲線Ｆ２と、ガンマ値２．２のガンマ特性曲線Ｆ１とのガンマ値の差は小さくなるので、ガンマ特性曲線Ｆ２をガンマ特性曲線Ｆ１に一致させる調整を行うことが容易となる。ガンマ特性曲線Ｆ０・Ｆ２の調整については、第１の例と同様である。【００６２】
前記第１の例では、ガンマ特性曲線Ｅ２のガンマ特性を独立に調整したが、第２の例では、ガンマ特性曲線Ｆ０のガンマ特性とガンマ特性曲線Ｆ２のガンマ特性とをそれぞれ独立に調整した。このように、第２の例では２つのガンマ特性曲線を、図５に細矢印で示すように、互いの間にある目標のガンマ特性に向って近づけて一致させるように調整する。【００６３】
以上のように、本実施の形態では、上記ガンマ特性の調整の第１および第２の例で説明したように、画素ごとに、所定の水平ブランキング期間に印加した電圧により１フレーム内の所定期間だけ黒挿入を行う表示を行う場合、すなわち、黒挿入による表示のインパルス化を行う場合に、表示制御回路２５０が表示のガンマ特性を調整する。ここで、表示制御回路２５０は、上記所定期間以外の期間の表示データを調整することにより表示のガンマ特性の調整を行うので、ガンマ特性を容易に調整することができ、黒挿入を行う表示を行う場合のガンマ特性を向上させることができる。【００６４】
以上により、黒挿入による表示のインパルス化を行う場合に表示のガンマ特性を向上させることができる表示装置を実現することができる。【００６５】
また、上記第１の例では、ガンマ特性の調整により、黒挿入を行う表示を行う場合の表示のガンマ特性を、黒挿入を行わない表示を行う場合の表示のガンマ特性に一致させるので、黒挿入を行う表示を行う場合の表示のガンマ特性が、黒挿入を行わない表示を行う場合の表示のガンマ特性と同様に良好なものとなる。【００６６】
また、上記第２の例では、画素ごとに、所定の水平ブランキング期間に印加した電圧により１フレーム内の所定期間だけ黒挿入を行う表示を行う場合、すなわち、黒挿入による表示のインパルス化を行う場合と、黒挿入を行わない表示を行う場合とのそれぞれについて、表示制御回路２５０が表示のガンマ特性を調整する。ここで、表示制御回路２５０は、黒挿入を行わない表示を行う場合に表示データを調整することにより表示のガンマ特性の調整を行うとともに、黒挿入を行う表示を行う場合に上記所定期間以外の期間の表示データを調整することにより表示のガンマ特性の調整を行うので、ガンマ特性を容易に調整することができる。これにより、黒挿入を行う表示を行う場合のガンマ特性を向上させることができる。【００６７】
また、この第２の例では、黒挿入を行う表示を行う場合のガンマ特性を調整するだけでは、黒挿入を行わない表示を行う場合のガンマ特性に近づけるのが困難な場合でも、黒挿入を行う表示を行う場合のガンマ特性は、黒挿入を行わない表示を行う場合のガンマ特性からずれたものであるという性質を利用して、図５のように黒挿入を行わない表示を行う場合のガンマ特性を予め所望のガンマ特性からずらしておけば、黒挿入を行う表示および行わない表示の両方のガンマ特性を調整することで、両方のガンマ特性を所望のガンマ特性に近づけやすくすることができる。【００６８】
以上により、黒挿入による表示のインパルス化を行う場合に表示のガンマ特性を向上させることができる表示装置を実現することができる。【００６９】
さらに、第２の例では、黒挿入を行わない表示を行う場合のガンマ特性の調整の結果と、黒挿入を行う表示を行う場合のガンマ特性の調整の結果とを一致させるので、黒挿入を行う表示を行う場合の表示のガンマ特性が、黒挿入を行わない表示を行う場合の表示のガンマ特性と同様に良好なものとなる。【００７０】
次に、ソースドライバ３００についてさらに説明する。【００７１】
ソースドライバ３００の出力部３０４の第１の構成例については既に図６に示したが、図７は、本実施形態におけるソースドライバ３００の出力部３０４の第２の構成例を示す回路図である。この構成例による出力部３０４は、スイッチング素子としてのｎ個の第１のＭＯＳトランジスタＳＷａおよび（ｎ−１）個の第２のＭＯＳトランジスタＳＷｂと、インバータ３３とからなるスイッチ回路を含んでおり、この点では、第１の構成例におけるソースドライバ３００の出力バッファと同様である。しかし、第２の構成例による出力部３０４は、第１の構成例におけるソースドライバ３００の出力部と異なり、チャージシェア電圧固定用電源３５を含み、このチャージシェア電圧固定用電源３５の正極がスイッチング素子としての第３のＭＯＳトランジスタＳＷｂ２を介して、いずれかのソースラインＳＬ（ｉ）に接続されるべきソースドライバの出力端子に接続されている（図７に示した例では、ｎ番目のソースラインＳＬｎに接続されるべき出力端子に接続されている）。そして、第３のＭＯＳトランジスタＳＷｂ２のゲート端子には、チャージシェア制御信号Ｃｓｈが入力され、チャージシェア電圧固定用電源３５の負極は接地されている。このチャージシェア電圧固定用電源３５は、黒表示に相当する固定電圧Ｅｓｈを与える電圧供給部であり、この電圧Ｅｓｈは、０階調の負極性のデータ信号Ｓ（ｉ）の値から０階調における正極性のデータ信号Ｓ（ｉ）の値までの電圧範囲にあればよい。なお、この電圧Ｅｓｈは、チャージシェア期間Ｔｓｈにおいて黒電圧印加パルスＰｂにより画素電極に印加されるが（図３参照）、その画素電極の電圧（画素電圧）は、寄生容量Ｃｇｄの存在により、黒電圧印加パルスの立ち下がり時に引き込み電圧ΔＶｄだけ低下する。したがって、この電源電圧Ｅｓｈは、引き込み電圧ΔＶｄの補正を考慮する必要があるため、電源電圧Ｅｓｈを対向電圧に近い値にしても画素電圧が必ずしも黒表示に相当する電圧になるとは限らない。【００７２】
上記のような第２の構成例によっても、チャージシェア制御信号Ｃｓｈに基づき、チャージシェア期間Ｔｓｈ以外（の有効走査期間）では、データ信号生成部３０２で生成されたアナログ電圧信号ｄ（１）〜ｄ（ｎ）がバッファ３１を介してデータ信号Ｓ（１）〜Ｓ（ｎ）として出力されてソースラインＳＬ１〜ＳＬｎに印加され、チャージシェア期間Ｔｓｈでは、データ信号Ｓ（１）〜Ｓ（ｎ）のソースラインＳＬ１〜ＳＬｎへの印加が遮断されると共に隣接ソースラインが互いに短絡される（結果的に全ソースラインＳＬ１〜ＳＬｎが互いに短絡される）。これに加えて、この第２の構成例によれば、チャージシェア期間Ｔｓｈにおいて各ソースラインＳＬｉ（ｉ＝１〜ｎ）にチャージシェア電圧固定用電源３５の電圧Ｅｓｈが与えられる（図７参照）。【００７３】
しかし、図７からわかるように上記第１の構成例では、多くのソースラインは複数個のＭＯＳトランジスタＳＷｂを介してチャージシェア電圧固定用電源３５に接続される。このため、全てのソースラインＳＬ１〜ＳＬｎの電圧が同一のチャージシェア電圧Ｅｓｈに落ち着くまでに時間を要する。その結果、チャージシェア期間Ｔｓｈの長さによっては、黒挿入において各画素形成部の画素容量に保持されるべき黒電圧を同一にすることができず、上記パターンの影の発生を十分に抑制できないことも考えられる。【００７４】
そこで次に、チャージシェア期間Ｔｓｈにおいて全てのソースラインＳＬ１〜ＳＬｎが短時間で同一の電圧Ｅｓｈとなるように構成されたソースドライバの出力部を第３の構成例として説明する。【００７５】
図８は、ソースドライバ３００の出力部３０４の第３の構成例を示す回路図である。この構成例による出力部３０４における構成要素のうち第２の構成例におけるものと同一の構成要素については、同一の参照符号を付して説明を省略する。【００７６】
本構成例による出力部３０４も、第２の構成例と同様、各ソースラインＳＬｉ（ｉ＝１〜ｎ）に対しスイッチング素子としての第２のＭＯＳトランジスタＳＷｃが１個ずつ設けられている。しかし、第２の構成例では、隣接ソースライン間に１個ずつ第２のＭＯＳトランジスタＳＷｂが挿入されるようにスイッチ回路が構成されるのに対し、本構成例では、各ソースラインＳＬｉとチャージシェア電圧固定用電源３５との間に１個ずつ第２のＭＯＳトランジスタＳＷｃが挿入されるようにスイッチ回路が構成される。すなわち本構成例では、各ソースラインＳＬｉに接続されるべきソースドライバの出力端子は、これら第２のＭＯＳトランジスタＳＷｃのいずれか１つを介してチャージシェア電圧固定用電源３５の正極に接続されている。そして、これら第２のＭＯＳトランジスタＳＷｃのゲート端子のいずれにもチャージシェア制御信号Ｃｓｈが与えられる。【００７７】
上記のような第３の構成例によっても、チャージシェア制御信号Ｃｓｈに基づき、チャージシェア期間Ｔｓｈ以外（の有効走査期間）では、データ信号生成部３０２で生成されたアナログ電圧信号ｄ（１）〜ｄ（ｎ）がバッファ３１を介してデータ信号Ｓ（１）〜Ｓ（ｎ）として出力されてソースラインＳＬ１〜ＳＬｎに印加され、チャージシェア期間Ｔｓｈでは、データ信号Ｓ（１）〜Ｓ（ｎ）のソースラインＳＬ１〜ＳＬｎへの印加が遮断されると共に隣接ソースラインが互いに短絡される（結果的に全ソースラインＳＬ１〜ＳＬｎが互いに短絡される）。これに加えて、この第３の構成例によれば、チャージシェア期間Ｔｓｈにおいて各ソースラインＳＬｉ（ｉ＝１〜ｎ）にチャージシェア電圧固定用電源３５の電圧Ｅｓｈが与えられる（図８参照）。【００７８】
次に、本実施形態におけるゲートドライバ４００の構成について説明する。【００７９】
図９（ａ）および図９（ｂ）は、図３のｄ・ｅに示すように動作するゲートドライバ４００の一構成例を示すブロック図である。この構成例によるゲートドライバ４００は、シフトレジスタを含む複数個（ｑ個）の部分回路としてのゲートドライバ用ＩＣ（Integrated Circuit）チップ４１１，４１２，…，４１ｑからなる。【００８０】
各ゲートドライバ用ＩＣチップは、図９（ｂ）に示すように、シフトレジスタ４０と、当該シフトレジスタ４０の各段に対応して設けられた第１および第２のＡＮＤゲート４１，４３と、第２のＡＮＤゲート４３の出力信号ｇ１〜ｇｐに基づき走査信号Ｇ１〜Ｇｐを出力する出力部４５とを備え、外部からスタートパルス信号ＳＰｉ、クロック信号ＣＫおよび出力制御信号ＯＥを受け取る。スタートパルス信号ＳＰｉはシフトレジスタ４０の入力端に与えられ、シフトレジスタ４０の出力端からは、後続のゲートドライバ用ＩＣチップに入力されるべきスタートパルス信号ＳＰｏを出力する。また、第１のＡＮＤゲート４１のそれぞれにはクロック信号ＣＫの論理反転信号が入力され、第２のＡＮＤゲート４３のそれぞれには出力制御信号ＯＥの論理反転信号が入力される。そして、シフトレジスタ４０の各段の出力信号Ｑｋ（ｋ＝１〜ｐ）は、当該段に対応する第１のＡＮＤゲート４１に入力され、当該第１のＡＮＤゲート４１の出力信号は当該段に対応する第２のＡＮＤゲート４３に入力される。【００８１】
本構成例によるゲートドライバ４００は、図９（ａ）に示すように、上記構成の複数（ｑ個）のゲートドライバ用ＩＣチップ４１１〜４１ｑが縦続接続されることによって実現される。すなわち、ゲートドライバ用ＩＣチップ４１１〜４１ｑ内のシフトレジスタ４０が１つのシフトレジスタを形成するように（以下、このように縦続接続によって形成されるシフトレジスタを「結合シフトレジスタ」という）、各ゲートドライバ用ＩＣチップ内のシフトレジスタの出力端（スタートパルス信号ＳＰｏの出力端子）が次のゲートドライバ用ＩＣチップ内のシフトレジスタの入力端（スタートパルス信号ＳＰｉの入力端子）に接続される。ただし、先頭のゲートドライバ用ＩＣチップ４１１内のシフトレジスタの入力端には、表示制御回路２５０からゲートスタートパルス信号ＧＳＰが入力され、最後尾のゲートドライバ用ＩＣチップ４１ｑ内のシフトレジスタの出力端は外部と未接続となっている。また、表示制御回路２５０からのゲートクロック信号ＧＣＫは、各ゲートドライバ用ＩＣチップ４１１〜４１ｑにクロック信号ＣＫとして共通に入力される。一方、表示制御回路２５０において生成されるゲートドライバ出力制御信号ＧＯＥは第１〜第ｑのゲートドライバ出力制御信号ＧＯＥ１〜ＧＯＥｑからなり、これらのゲートドライバ出力制御信号ＧＯＥ１〜ＧＯＥｑは、ゲートドライバ用ＩＣチップ４１１〜４１ｑに出力制御信号ＯＥとしてそれぞれ個別に入力される。【００８２】
次に、図１０を参照しつつ上記構成例によるゲートドライバ４００の動作について説明する。表示制御回路２５０は、図１０のａに示すように、画素データ書込パルスＰｗに対応する期間Ｔｓｐｗと３個の黒電圧印加パルスＰｂに対応する期間ＴｓｐｂｗだけＨレベル（アクティブ）となる信号をゲートスタートパルス信号ＧＳＰとして生成するとともに、図１０のｂに示すように、１水平走査期間（１Ｈ）毎に所定期間だけＨレベルとなるゲートクロック信号ＧＣＫを生成する。このようなゲートスタートパルス信号ＧＳＰおよびゲートクロック信号ＧＣＫが図９（ａ）および図９（ｂ）のゲートドライバ４００に入力されると、先頭のゲートドライバ用ＩＣチップ４１１のシフトレジスタ４０の初段の出力信号Ｑ１として、図１０のｃに示すような信号が出力される。この出力信号Ｑ１は、各フレーム期間において、画素データ書込パルスＰｗに対応する１個のパルスＰｑｗと、３個の黒電圧印加パルスＰｂに対応する１個のパルスＰｑｂｗとを含み、これらの２個のパルスＰｑｗとＰｑｂｗとの間はほぼ画素データ保持期間Ｔｈｄだけ離れている。このような２個のパルスＰｑｗおよびＰｑｂｗがゲートクロック信号ＧＣＫに従ってゲートドライバ４００内の結合シフトレジスタを順次転送されていく。それに応じて結合シフトレジスタの各段から、図１０のｃに示すような波形の信号が１水平走査期間（１Ｈ）ずつ順次ずれて出力される。【００８３】
また、表示制御回路２５０は、既述のように、ゲートドライバ４００を構成するゲートドライバ用ＩＣチップ４１１〜４１ｑに与えるべきゲートドライバ出力制御信号ＧＯＥ１〜ＧＯＥｑを生成する。ここで、ｒ番目のゲートドライバ用ＩＣチップ４１ｒに与えるべきゲートドライバ出力制御信号ＧＯＥｒは、当該ゲートドライバ用ＩＣチップ４１ｒ内のシフトレジスタ４０のいずれかの段から画素データ書込パルスＰｗに対応するパルスＰｑｗが出力されている期間では、画素データ書込パルスＰｗの調整のためにゲートクロック信号ＧＣＫのパルス近傍の所定期間でＨレベルとなることを除きＬレベルとなり、それ以外の期間では、ゲートクロック信号ＧＣＫがＨレベルからＬレベルに変化した直後の所定期間Ｔｏｅ（この所定期間Ｔｏｅはチャージシェア期間Ｔｓｈに含まれるように設定される）だけＬレベルとなることを除きＨレベルとなる。例えば、先頭のゲートドライバ用ＩＣチップ４１１には、図１０のｄに示すようなゲートドライバ出力制御信号ＧＯＥ１が与えられる。なお、画素データ書込パルスＰｗの調整のためにゲートドライバ出力制御信号ＧＯＥ１〜ＧＯＥｑに含まれるパルス（これは上記所定期間でＨレベルとなることに相当し、以下「書込期間調整パルス」という）は、必要な画素データ書込パルスＰｗに応じて、ゲートクロック信号ＧＣＫの立ち上がりよりも早く立ち上がったり、ゲートクロック信号ＧＣＫの立ち下がりよりも遅く立ち下がったりする。また、このような書込期間調整パルスを使用せずに、ゲートクロック信号ＧＣＫのパルスだけで画素データ書込パルスＰｗを調整するようにしてもよい。【００８４】
各ゲートドライバ用ＩＣチップ４１ｒ（ｒ＝１〜ｑ）では、上記のようなシフトレジスタ４０各段の出力信号Ｑｋ（ｋ＝１〜ｐ）、ゲートクロック信号ＧＣＫおよびゲートドライバ出力制御信号ＧＯＥｒに基づき、第１および第２のＡＮＤゲート４１，４３により、内部走査信号ｇ１〜ｇｐが生成され、それらの内部走査信号ｇ１〜ｇｐが出力部４５でレベル変換されて、ゲートラインに印加すべき走査信号Ｇ１〜Ｇｐが出力される。これにより、図１０のｅ・ｆに示すように、ゲートラインＧＬ１〜ＧＬｍには、順次画素データ書込パルスＰｗが印加されると共に、各ゲートラインＧＬｊ（ｊ＝１〜ｍ）では、画素データ書込パルスの印加時点から画素データ保持期間Ｔｈｄだけ経過した時点で、黒電圧印加パルスＰｂが印加され、その後、１水平走査期間（１Ｈ）間隔で２個の黒電圧印加パルスＰｂが印加される。このようにして３個の黒電圧印加パルスＰｂが印加された後は、次のフレーム期間の画素データ書込パルスＰｗが印加されるまでＬレベルが維持される。すなわち、上記３個の黒電圧印加パルスＰｂが印加されてから次の画素データ書込パルスＰｗが印加されるまでは黒表示期間Ｔｂｋとなる。【００８５】
上記のようにして、図９（ａ）および図９（ｂ）に示した構成のゲートドライバ４００により、液晶表示装置１において図３のｃ〜ｆに示したようなインパルス化駆動を実現することができる。【００８６】
本実施形態のインパルス化では、データ信号Ｓ（ｉ）の極性反転時の各チャージシェア期間Ｔｓｈには各ソースラインＳＬｉの電圧は黒表示に相当する値となり（図３のｃ）、各ゲートラインＧＬｊには、画素データ書込パルスＰｗが印加されてから２／３フレーム期間の長さの画素データ保持期間Ｔｈｄが経過した後に、１水平走査期間間隔で３個の黒電圧印加パルスＰｂがそれぞれチャージシェア期間Ｔｓｈ内に印加される（図３のｄ・ｅ）。これにより、次に画素データ書込パルスＰｗが印加されるまでは黒表示の期間Ｔｂｋとなるので、各フレームにつき、ほぼ１／３フレーム期間程度の黒挿入が行われる。すなわち、インパルス化駆動のための黒表示期間Ｔｂｋが１表示ライン毎に１水平走査期間（１Ｈ）ずつずれて、全ての表示ラインにつき同じ長さの黒挿入が行われる（図３のｄ・ｅ）。これにより、画素データ書込のための画素容量Ｃｐでの充電期間を短縮することなく、十分な黒挿入期間が確保され、しかも、黒挿入のためにソースドライバ３００等の動作速度を上げる必要もない。【００８７】
上記実施形態におけるゲートドライバ４００は、図９（ａ）および図９（ｂ）に示した構成に限定されるものではなく、図３のｄ・ｅに示すような走査信号Ｇ（１）〜Ｇ（ｍ）を生成するものであればよい。また、上記実施形態では、図３のｄ・ｅに示すように、各ゲートラインＧＬｊには１フレーム期間毎に３個の黒電圧印加パルスＰｂが印加されるが、１フレーム期間における黒電圧印加パルスＰｂの個数すなわち１つのゲートラインが黒信号挿入期間で選択状態となる１フレーム期間当たりの回数は３に限定されるものではなく、表示を黒レベルとすることができるような１以上の数であればよい。図３のｆからわかるように、１フレーム期間における黒電圧印加パルスＰｂの個数を変えることにより黒表示期間Ｔｂｋにおける黒レベル（表示輝度）を所望の値に設定することができる。【００８８】
また、上記実施形態では、各ゲートラインＧＬｊに対し、画素データ書込パルスＰｗが印加されてから２／３フレーム期間の長さの画素データ保持期間Ｔｈｄが経過した時点で黒電圧印加パルスＰｂが印加され（図３のｄ・ｅ）、各フレームにつき、ほぼ１／３フレーム期間程度の黒挿入が行われるが、黒表示期間Ｔｂｋは１／３フレーム期間に限定されるものではない。黒表示期間Ｔｂｋを長くすればインパルス化の効果が大きくなり動画表示性能の改善（尾引残像の抑制等）には有効であるが、表示輝度が低下することになるので、インパルス化の効果と表示輝度とを勘案して適切な黒表示期間Ｔｂｋが設定されることになる。【００８９】
なお上記実施形態では、図７および図８に示すように、第１のＭＯＳトランジスタＳＷａと、第２のＭＯＳトランジスタＳＷｂおよび第３のＭＯＳトランジスタＳＷｂ２または第２のＭＯＳトランジスタＳＷｃと、インバータ３３とにより、チャージシェア期間ＴｓｈにおいてソースラインＳＬ１〜ＳＬｎへのデータ信号Ｓ（１）〜Ｓ（ｎ）の印加を遮断すると共にそれらのソースラインＳＬ１〜ＳＬｎ（各隣接ソースライン）を互いに短絡するスイッチ回路が構成され、このスイッチ回路はソースドライバ３００に含まれる。しかし、このスイッチ回路の一部または全部をソースドライバ３００の外部に設ける構成、例えばＴＦＴを用いて表示部１００内に画素アレイと一体化して設ける構成としてもよい。【００９０】
また、本実施形態では表示制御回路２５０がソースドライバ３００に供給するデジタル画像信号ＤＡを、擬似多ビット化した時分割データとしたが、これに限るものではなく、任意の形式のデジタル画像信号に適用することが可能である。さらに、表示制御回路２５０がソースドライバ３００に供給する画像信号は必ずしもデジタル信号である必要はなく、表示制御回路２５０内ではデジタル信号を処理してガンマ特性を調整したとして、その調整後のデータをアナログ信号に変換してからソースドライバに供給する構成なども考えられる。ソースドライバの構成はその信号形態に合わせて適宜変更することができる。【００９１】
〔実施の形態２〕
本発明の他の実施形態について図１ないし図４、および、図６ないし図１３に基づいて説明すると以下の通りである。【００９２】
図１１は、本実施形態に係る表示装置としての液晶表示装置１１の構成をその表示部の等価回路と共に示すブロック図である。この液晶表示装置１１は、データ信号線駆動回路としてのソースドライバ３００と、走査信号線駆動回路としてのゲートドライバ４００と、アクティブマトリクス形の表示部１００と、ソースドライバ３００およびゲートドライバ４００を制御するための表示制御回路（ガンマ特性調整手段）２５１と、ＲＯＭ５０１・５０２と、階調電圧源７００とを備えている。液晶表示装置１１は、この構成を備えることにより、黒挿入による表示のインパルス化を行うモードと、当該インパルス化を行わないモードとの両方のモードを切り替えて実行することができるものである。本実施形態では、黒挿入による表示のインパルス化を一例としてチャージシェア期間を利用してそのタイミングで黒を書き込む方式を用い本発明に関しての説明を行っているが、チャージシェアは必ずしも行う必要はなく、黒挿入を行って表示のインパルス化を行いさえすればよい。また、挿入する黒も、必ずしも最小輝度に対応する電圧でなくてよく、最小輝度から所定範囲内にある輝度に対応する電圧に最終的に達すればよい。以下、黒挿入による表示のインパルス化を単にインパルス化と呼ぶ。【００９３】
なお、ソースドライバ３００、ゲートドライバ４００、および、表示部１００の構成は実施の形態１で述べたものと同様であるので、それらの説明は省略する。【００９４】
表示制御回路２５１は、外部の信号源から、表示すべき画像を表すデジタルビデオ信号Ｄｖと、当該デジタルビデオ信号Ｄｖに対応する水平同期信号ＨＳＹおよび垂直同期信号ＶＳＹと、表示動作を制御するための制御信号Ｄｃとを受け取り、それらの信号Ｄｖ，ＨＳＹ，ＶＳＹ，Ｄｃに基づき、そのデジタルビデオ信号Ｄｖの表す画像を表示部１００に表示させるための信号として、データスタートパルス信号ＳＳＰと、データクロック信号ＳＣＫと、チャージシェア制御信号Ｃｓｈと、表示すべき画像を表すデジタル画像信号ＤＡ（ビデオ信号Ｄｖに相当する信号）と、ゲートスタートパルス信号ＧＳＰと、ゲートクロック信号ＧＣＫと、ゲートドライバ出力制御信号ＧＯＥとを生成し出力する。【００９５】
ビデオ信号Ｄｖは、内部メモリで必要に応じてタイミング調整等が行われた後に、デジタル画像信号ＤＡとして表示制御回路２５１から出力される。データクロック信号ＳＣＫは、ソースドライバ３００内のシフトレジスタの動作タイミングを決定する信号として生成される。データスタートパルス信号ＳＳＰは、水平同期信号ＨＳＹに基づいて１水平走査期間毎に所定期間だけハイレベル（Ｈレベル）となりシフトレジスタ内を転送される信号として生成される。ゲートスタートパルス信号ＧＳＰは、垂直同期信号ＶＳＹに基づき１フレーム期間（１垂直走査期間）毎に所定期間だけＨレベルとなる信号として生成される。ゲートクロック信号ＧＣＫは、水平同期信号ＨＳＹに基づいて生成される。チャージシェア制御信号Ｃｓｈおよびゲートドライバ出力制御信号ＧＯＥ（ＧＯＥ１〜ＧＯＥｑ）は、水平同期信号ＨＳＹおよび制御信号Ｄｃに基づいて生成される。【００９６】
上記のようにして表示制御回路２５１において生成された信号のうち、デジタル画像信号ＤＡとチャージシェア制御信号Ｃｓｈとデータスタートパルス信号ＳＳＰおよびデータクロック信号ＳＣＫとは、ソースドライバ３００に入力され、ゲートスタートパルス信号ＧＳＰおよびゲートクロック信号ＧＣＫとゲートドライバ出力制御信号ＧＯＥとは、ゲートドライバ４００に入力される。【００９７】
また、表示制御回路２５１は、切替回路２５１ａを備えている。切替回路２５１ａには、表示制御回路２５１の外部から、インパルス化のｏｎ／ｏｆｆの切り替えを制御する制御信号ＣＳＩon/offが入力される。切替回路２５１ａは、この制御信号ＣＳＩon/offに基づいて、インパルス化を行うモードと行わないモードとで、階調電圧源７００が生成する階調基準電圧を互いに異なるものとする。本実施の形態では、この構成により、インパルス化を行うモードにおいて、図４のガンマ特性曲線Ｅ２を、ガンマ特性曲線Ｅ１に一致させる調整を行う。ここでは、図４において、例えばガンマ特性曲線Ｅ２上の階調ｎ（規格化階調）に対応する点Ａの輝度比をガンマ特性曲線Ｅ１上の階調ｎに対応する点Ｂの輝度比に等しくする調整を行うのに、調整を行わない場合におけるガンマ特性曲線Ｅ２上の階調ｎ＋ｋ（規格化階調）に対応する点Ｃの輝度比が得られる階調基準電圧を、調整後のガンマ特性曲線Ｅ２の点Ｂにおける階調基準電圧とする。従って、同じ階調ｎに対応するガンマ特性曲線Ｅ２の点Ｂにおける階調基準電圧と、ガンマ特性曲線Ｅ１の点Ａにおける階調基準電圧とが互いに異なっている。【００９８】
そのために、階調電圧源７００として、一例として図１２に示すような、入力デジタル信号としてのレジスタの設定値を変更することによりＤＡ変換結果を調整することのできるＤ／Ａコンバータを用いる。切替回路２５１ａは、この階調電圧源７００のレジスタに設定する値を、ＲＯＭ５０１・５０２から読み出す。ＲＯＭ５０１はインパルス化を行うモード（ＣＳＩｏｎ）用の階調基準電圧に対応したレジスタ設定値を格納しており、ＲＯＭ５０２はインパルス化を行わないモード（ＣＳＩｏｆｆ）用の階調基準電圧に対応したレジスタ設定値を格納している。切替回路２５１ａは、制御信号ＣＳＩon/offに基づいてＲＯＭ５０１あるいはＲＯＭ５０２から読み出したレジスタ設定値を、Ｉ２Ｃバスを介して階調電圧源７００に伝送する。【００９９】
階調電圧源７００は、端子ＳＤＡからＩ２Ｃバスインタフェース７０１を介してこれらレジスタ設定値を受信し、各レジスタ（図１２ではＲｅｇｉｓｔｅｒ０〜Ａ）にレジスタ値が設定される。これにより、Ｄ／Ａ変換ロジック回路７０３は各レジスタ値から、それらに対応したアナログの電圧を生成する。そして、生成されたアナログの電圧を、電圧ホロワ７０４でバッファリングして、階調基準電圧（図１２ではＶ０〜Ｖ９）として出力する。この出力された階調基準電圧が、図１１に示した電圧Ｖ０、Ｖ１、…Ｖｐに相当する。【０１００】
図１３に、上記のＤ／Ａコンバータの構成例を示す。図１３のＤ／Ａコンバータはラダー抵抗型Ｄ／Ａコンバータであり、３つの抵抗Ｒと、６つの抵抗２Ｒとを備えている。この構成では、一例として入力デジタル信号（レジスタ値）が４ビットであるとする。３つの抵抗Ｒのそれぞれは、ノードＡとノードＢとの間と、ノードＢとノードＣとの間と、ノードＣとノードＤとの間とに設けられている。そして、６つの抵抗２Ｒのそれぞれは、最上位ビット入力端子Ｌ１とノードＡとの間と、第２位ビット入力端子Ｌ２とノードＢとの間と、第３位ビット入力端子Ｌ３とノードＣとの間と、最下位ビット入力端子Ｌ４とノードＤとの間と、ノードＡとＧＮＤとの間と、ノードＤとＧＮＤとの間とに設けられている。各入力端子Ｌ１〜Ｌ２は、図１２では１つのレジスタ７０２に相当しており、ノードＡは図１２ではＤ／Ａ変換ロジック回路７０３の１つの出力端子に相当している。ノードＡは電圧ホロワ７０４の入力端子に接続されており、図１３における電圧ホロワ７０４の出力端子Ｅｏは、図１２における電圧ホロワ７０４の出力電圧Ｖ０〜Ｖ９の出力端子の１つに相当している。【０１０１】
図１３の構成により、出力端子Ｅｏには、入力端子Ｌ１〜Ｌ４に入力されるレジスタ値が、入力端子Ｌ１〜Ｌ４の重み付けに対応して生成された電圧が出力される。【０１０２】
このように、本実施の形態では、画素ごとに、所定の水平ブランキング期間に印加した電圧により１フレーム内の所定期間だけ黒挿入を行う表示を行う場合、すなわち、黒挿入による表示のインパルス化を行う場合に、表示制御回路２５１が表示のガンマ特性を調整する。これにより、例えば、黒挿入を行う表示を行う場合のガンマ特性を、黒挿入を行わない表示を行う場合の表示のガンマ特性に一致させるなどして、ガンマ特性を向上させることができる。【０１０３】
以上により、黒挿入による表示のインパルス化を行う場合に表示のガンマ特性を向上させることができる表示装置を実現することができる。【０１０４】
また、本実施の形態では、表示制御回路２５１は、黒挿入を行う表示を行う場合に、表示データに対応した電圧として選択する階調基準電圧を調整することによりガンマ特性の調整を行う。表示データに対応した電圧として選択する階調基準電圧を調整することは、同じ表示データに対して画素への印加電圧を変更して輝度比を調整することとなるので、ガンマ特性を容易に調整することができる。【０１０５】
また、本実施の形態では、表示データに対応した電圧を、Ｄ／Ａコンバータにより入力デジタル信号に対応するアナログ出力電圧として生成した階調基準電圧から選択するようにしており、表示制御回路２５１は、黒挿入を行う表示を行う場合に、上記Ｄ／Ａコンバータに、黒挿入を行う表示を行う場合の表示データに対応した電圧に対応する入力デジタル信号を入力することにより、表示データに対応した電圧を調整する。【０１０６】
この構成によれば、階調基準電圧をＤ／Ａコンバータにより生成し、黒挿入を行う表示を行う場合に、表示制御回路２５１がそのＤ／Ａコンバータの入力デジタル信号を、黒挿入を行う表示を行う場合の表示データに対応した電圧に対応する入力デジタル信号とするだけで階調基準電圧を調整するので、ガンマ特性の調整を汎用の回路構成を用いて実現することができる。【０１０７】
〔実施の形態３〕
本発明のさらに他の実施形態について図１ないし図１４に基づいて説明すると以下の通りである。【０１０８】
図１４は、本実施形態に係る表示装置としての液晶表示装置２１の構成をその表示部の等価回路と共に示すブロック図である。この液晶表示装置２１は、データ信号線駆動回路としてのソースドライバ３００と、走査信号線駆動回路としてのゲートドライバ４００と、アクティブマトリクス形の表示部１００と、ソースドライバ３００およびゲートドライバ４００を制御するための表示制御回路（ガンマ特性調整手段）２５２と、ＲＯＭ５００・５０１・５０２と、階調電圧源７００とを備えている。液晶表示装置２１は、この構成を備えることにより、黒挿入による表示のインパルス化を行うモードと、当該インパルス化を行わないモードとの両方のモードを切り替えて実行することができるものである。本実施形態では、黒挿入による表示のインパルス化を一例としてチャージシェア期間を利用してそのタイミングで黒を書き込む方式を用い本発明に関しての説明を行っているが、チャージシェアは必ずしも行う必要はなく、黒挿入を行って表示のインパルス化を行いさえすればよい。また、挿入する黒も、必ずしも最小輝度に対応する電圧でなくてよく、最小輝度から所定範囲内にある輝度に対応する電圧に最終的に達すればよい。以下、黒挿入による表示のインパルス化を単にインパルス化と呼ぶ。【０１０９】
なお、ソースドライバ３００、ゲートドライバ４００、表示部１００、ＲＯＭ５００・５０１・５０２、および階調電圧源７００の構成は実施の形態１および２で述べたものと同様であるので、それらの説明は省略する。【０１１０】
表示制御回路２５２は、データ変換部２５２ａと切替回路２５２ｂとを備えており、実施の形態１のガンマ特性の調整と、実施の形態２のガンマ特性の調整との両方を行うことができる。データ変換部２５２ａは図１のデータ変換部２５０ａと同様の構成であり、切替回路２５２ｂは図１１の切替回路２５１ａと同様の構成である。この場合に、インパルス化のｏｎ／ｏｆｆの切り替えを制御する制御信号ＣＳＩon/offは、データ変換部２５２ａと切替回路２５２ｂとの両方に共通の信号として入力される。【０１１１】
データ変換部２５２ａはＲＯＭ５００に格納されている情報を用いて、デジタル画像信号ＤＡを調整することによりガンマ特性の調整を行い、切替回路２５２ｂはＲＯＭ５０１・５０２に格納されている情報を用いて、階調電圧源７００において生成する階調基準電圧を調整することによりガンマ特性の調整を行う。これは例えば、切替回路２５２ｂによって、インパルス化を行うモードにおけるガンマ特性を大まかに調整し、さらにデータ変換部２５２ａによって、インパルス化を行うモードにおけるガンマ特性の微調整を行うといった調整の仕方に好適に適用することができるものである。すなわち、階調電圧源７００において生成する階調基準電圧を調整することにより行うガンマ特性の調整は、調整対象のガンマ特性が所望の特性から大きくずれている場合でも容易に行うことができるが、その調整精度が不足するという場合もあり得るので、その精度が不足する分を、デジタル画像信号ＤＡを調整することにより行うガンマ特性の調整で補う。【０１１２】
このように、本実施の形態では、画素ごとに、所定の水平ブランキング期間に印加した電圧により１フレーム内の所定期間だけ黒挿入を行う表示を行う場合、すなわち、黒挿入による表示のインパルス化を行う場合に、表示制御回路２５２が表示のガンマ特性を調整する。これにより、例えば、黒挿入を行う表示を行う場合のガンマ特性を、黒挿入を行わない表示を行う場合の表示のガンマ特性に一致させるなどして、ガンマ特性を向上させることができる。【０１１３】
以上により、黒挿入による表示のインパルス化を行う場合に表示のガンマ特性を向上させることができる表示装置を実現することができる。【０１１４】
なお、本発明の表示装置は、上記ガンマ特性調整手段は、上記黒挿入を行う表示を行う場合に、上記所定期間以外の期間の上記表示データを調整することにより上記ガンマ特性の上記調整を行うものであってもよい。【０１１５】
上記の発明によれば、ガンマ特性調整手段は、上記所定期間以外の期間の表示データを調整することにより表示のガンマ特性の調整を行うので、ガンマ特性を容易に調整することができ、黒挿入を行う表示を行う場合のガンマ特性を向上させることができるという効果を奏する。【０１１６】
本発明の表示装置は、上記ガンマ特性調整手段は、上記黒挿入を行う表示を行う場合に、上記表示データに対応した電圧として選択する階調基準電圧を調整することにより上記ガンマ特性の上記調整を行うものであってもよい。【０１１７】
上記の発明によれば、表示データに対応した電圧として選択する階調基準電圧を調整することは、同じ表示データに対して画素への印加電圧を変更して輝度比を調整することとなるので、ガンマ特性を容易に調整することができるという効果を奏する。【０１１８】
本発明の表示装置は、上記表示データに対応した電圧を、Ｄ／Ａコンバータにより入力デジタル信号に対応するアナログ出力電圧として生成した上記階調基準電圧から選択し、上記ガンマ特性調整手段は、上記黒挿入を行う表示を行う場合に、上記Ｄ／Ａコンバータに、上記黒挿入を行う表示を行う場合の上記表示データに対応した電圧に対応する上記入力デジタル信号を入力することにより、上記表示データに対応した電圧を調整するものであってもよい。【０１１９】
上記の発明によれば、階調基準電圧をＤ／Ａコンバータにより生成し、黒挿入を行う表示を行う場合に、ガンマ特性調整手段がそのＤ／Ａコンバータの入力デジタル信号を、黒挿入を行う表示を行う場合の表示データに対応した電圧に対応する入力デジタル信号とするだけで階調基準電圧を調整するので、ガンマ特性の調整を汎用の回路構成を用いて実現することができるという効果を奏する。【０１２０】
本発明の表示装置は、上記ガンマ特性調整手段は、上記黒挿入を行う表示を行う場合に、さらに、上記所定期間以外の期間の上記表示データを調整することにより、上記ガンマ特性の上記調整を行うものであってもよい。【０１２１】
上記の発明によれば、階調基準電圧を調整することによるガンマ特性の調整に加えて、所定期間以外の期間の表示データを調整することによりガンマ特性を調整する。階調基準電圧を調整することによるガンマ特性の調整をガンマ特性の大まかな調整とし、表示データを調整することによるガンマ特性の調整をガンマ特性の微調整とすれば、階調基準電圧を調整することによってガンマ特性を調整しきれないときに、所望のガンマ特性を精度よく達成することができるという効果を奏する。【０１２２】
本発明の表示装置は、上記ガンマ特性の上記調整により、上記黒挿入を行う表示を行う場合の表示のガンマ特性を、上記黒挿入を行わない表示を行う場合の表示のガンマ特性に一致させるものであってもよい。【０１２３】
上記の発明によれば、黒挿入を行う表示を行う場合の表示のガンマ特性が、黒挿入を行わない表示を行う場合の表示のガンマ特性と同様に良好なものとなるという効果を奏する。【０１２４】
また、本発明の表示装置は、表示データに対応した電圧を画素に印加して表示を行うアクティブマトリクス型の表示装置であって、画素ごとに１フレーム内の所定期間だけ黒挿入を行う表示が可能な表示装置において、上記黒挿入を行わない表示を行う場合に、上記表示データを調整することにより表示のガンマ特性の調整を行うとともに、上記黒挿入を行う表示を行う場合に、上記所定期間以外の期間の上記表示データを調整することにより表示のガンマ特性の調整を行う、ガンマ特性調整手段を備えているものであってもよい。【０１２５】
上記の発明によれば、画素ごとに１フレーム内の所定期間だけ黒挿入を行う表示を行う場合、すなわち、黒挿入による表示のインパルス化を行う場合と、黒挿入を行わない表示を行う場合とのそれぞれについて、ガンマ特性調整手段が表示のガンマ特性を調整する。ここで、ガンマ特性調整手段は、黒挿入を行わない表示を行う場合に表示データを調整することにより表示のガンマ特性の調整を行うとともに、黒挿入を行う表示を行う場合に上記所定期間以外の期間の表示データを調整することにより表示のガンマ特性の調整を行うので、ガンマ特性を容易に調整することができる。これにより、黒挿入を行う表示を行う場合のガンマ特性を向上させることができる。【０１２６】
また、黒挿入を行う表示を行う場合のガンマ特性を調整するだけでは、黒挿入を行わない表示を行う場合のガンマ特性に近づけるのが困難な場合でも、黒挿入を行う表示を行う場合のガンマ特性は、黒挿入を行わない表示を行う場合のガンマ特性からずれたものであるという性質を利用して、黒挿入を行わない表示を行う場合のガンマ特性を予め所望のガンマ特性からずらしておけば、黒挿入を行う表示および行わない表示の両方のガンマ特性を調整することで、両方のガンマ特性を所望のガンマ特性に近づけやすくすることができる。【０１２７】
以上により、黒挿入による表示のインパルス化を行う場合に表示のガンマ特性を向上させることができる表示装置を実現することができるという効果を奏する。【０１２８】
また、本発明の表示装置は、上記黒挿入を行わない表示を行う場合の上記ガンマ特性の上記調整の結果と、上記黒挿入を行う表示を行う場合の上記ガンマ特性の上記調整の結果とを一致させるものであってもよい。【０１２９】
上記の発明によれば、黒挿入を行う表示を行う場合の表示のガンマ特性が、黒挿入を行わない表示を行う場合の表示のガンマ特性と同様に良好なものとなるという効果を奏する。【０１３０】
本発明の表示装置は、上記黒挿入を、上記画素ごとに定めた所定の水平ブランキング期間に印加した電圧により行うものであってもよい。【０１３１】
上記の発明によれば、画素ごとに定めた所定の水平ブランキング期間に印加した電圧により黒挿入を行う表示装置に対して、表示のガンマ特性を向上させることができるという効果を奏する。【０１３２】
本発明の表示装置の駆動方法は、上記黒挿入を行う表示を行う場合に、上記所定期間以外の期間の上記表示データを調整することにより上記ガンマ特性の上記調整を行うものであってもよい。【０１３３】
上記の発明によれば、上記所定期間以外の期間の表示データを調整することにより表示のガンマ特性の調整を行うので、ガンマ特性を容易に調整することができ、黒挿入を行う表示を行う場合のガンマ特性を向上させることができるという効果を奏する。【０１３４】
本発明の表示装置の駆動方法は、上記黒挿入を行う表示を行う場合に、上記表示データに対応した電圧として選択する階調基準電圧を調整することにより上記ガンマ特性の上記調整を行うものであってもよい。【０１３５】
上記の発明によれば、表示データに対応した電圧として選択する階調基準電圧を調整することは、同じ表示データに対して画素への印加電圧を変更して輝度比を調整することとなるので、ガンマ特性を容易に調整することができるという効果を奏する。【０１３６】
本発明の表示装置の駆動方法は、上記表示データに対応した電圧を、Ｄ／Ａコンバータにより入力デジタル信号に対応するアナログ出力電圧として生成した上記階調基準電圧から選択し、上記黒挿入を行う表示を行う場合に、上記Ｄ／Ａコンバータに、上記黒挿入を行う表示を行う場合の上記表示データに対応した電圧に対応する上記入力デジタル信号を入力することにより、上記表示データに対応した電圧を調整するものであってもよい。【０１３７】
上記の発明によれば、階調基準電圧をＤ／Ａコンバータにより生成し、黒挿入を行う表示を行う場合に、そのＤ／Ａコンバータの入力デジタル信号を、黒挿入を行う表示を行う場合の表示データに対応した電圧に対応する入力デジタル信号とするだけで階調基準電圧を調整するので、ガンマ特性の調整を汎用の回路構成を用いて実現することができるという効果を奏する。【０１３８】
本発明の表示装置の駆動方法は、上記黒挿入を行う表示を行う場合に、さらに、上記所定期間以外の期間の表示データを調整することにより、上記ガンマ特性の上記調整を行うものであってもよい。【０１３９】
上記の発明によれば、階調基準電圧を調整することによるガンマ特性の調整に加えて、所定期間以外の期間の表示データを調整することによりガンマ特性を調整する。階調基準電圧を調整することによるガンマ特性の調整をガンマ特性の大まかな調整とし、表示データを調整することによるガンマ特性の調整をガンマ特性の微調整とすれば、階調基準電圧を調整することによってガンマ特性を調整しきれないときに、所望のガンマ特性を精度よく達成することができるという効果を奏する。【０１４０】
本発明の表示装置の駆動方法は、上記ガンマ特性の上記調整により、上記黒挿入を行う表示を行う場合の表示のガンマ特性を、上記黒挿入を行わない表示を行う場合の表示のガンマ特性に一致させるものであってもよい。【０１４１】
上記の発明によれば、黒挿入を行う表示を行う場合の表示のガンマ特性が、黒挿入を行わない表示を行う場合の表示のガンマ特性と同様に良好なものとなるという効果を奏する。【０１４２】
本発明の表示装置の駆動方法は、表示データに対応した電圧を画素に印加して表示を行うアクティブマトリクス型の表示装置の駆動方法であって、画素ごとに１フレーム内の所定期間だけ黒挿入を行う表示が可能な表示装置の駆動方法において、上記黒挿入を行わない表示を行う場合に、上記表示データを調整することにより表示のガンマ特性の調整を行うとともに、上記黒挿入を行う表示を行う場合に、上記所定期間以外の期間の上記表示データを調整することにより表示のガンマ特性の調整を行うものであってもよい。【０１４３】
上記の発明によれば、画素ごとに１フレーム内の所定期間だけ黒挿入を行う表示を行う場合、すなわち、黒挿入による表示のインパルス化を行う場合と、黒挿入を行わない表示を行う場合とのそれぞれについて、ガンマ特性調整手段が表示のガンマ特性を調整する。ここで、ガンマ特性調整手段は、黒挿入を行わない表示を行う場合に表示データを調整することにより表示のガンマ特性の調整を行うとともに、黒挿入を行う表示を行う場合に上記所定期間以外の期間の表示データを調整することにより表示のガンマ特性の調整を行うので、ガンマ特性を容易に調整することができる。これにより、黒挿入を行う表示を行う場合のガンマ特性を向上させることができる。【０１４４】
また、黒挿入を行う表示を行う場合のガンマ特性を調整するだけでは、黒挿入を行わない表示を行う場合のガンマ特性に近づけるのが困難な場合でも、黒挿入を行う表示を行う場合のガンマ特性は、黒挿入を行わない表示を行う場合のガンマ特性からずれたものであるという性質を利用して、黒挿入を行わない表示を行う場合のガンマ特性を予め所望のガンマ特性からずらしておけば、黒挿入を行う表示および行わない表示の両方のガンマ特性を調整することで、両方のガンマ特性を所望のガンマ特性に近づけやすくすることができる。【０１４５】
以上により、黒挿入による表示のインパルス化を行う場合に表示のガンマ特性を向上させることができる表示装置の駆動方法を実現することができるという効果を奏する。【０１４６】
本発明の表示装置の駆動方法は、上記黒挿入を行わない表示を行う場合の上記ガンマ特性の上記調整の結果と、上記黒挿入を行う表示を行う場合の上記ガンマ特性の上記調整の結果とを一致させるものであってもよい。【０１４７】
上記の発明によれば、黒挿入を行う表示を行う場合の表示のガンマ特性が、黒挿入を行わない表示を行う場合の表示のガンマ特性と同様に良好なものとなるという効果を奏する。【０１４８】
本発明の表示装置の駆動方法は、上記黒挿入を、上記画素ごとに定めた所定の水平ブランキング期間に印加した電圧により行うものであってもよい。【０１４９】
上記の発明によれば、画素ごとに定めた所定の水平ブランキング期間に印加した電圧により黒挿入を行う表示装置の駆動方法に対して、表示のガンマ特性を向上させることができるという効果を奏する。
【産業上の利用の可能性】
【０１５０】
本発明は、液晶表示装置に好適に使用することができる。
【図１】
2007099673.tif 000003
【図２】
2007099673.tif 000004
【図３】
2007099673.tif 000005
【図４】
2007099673.tif 000006
【図５】
2007099673.tif 000007
【図６】
2007099673.tif 000008
【図７】
2007099673.tif 000009
【図８】
2007099673.tif 000010
【図９（ａ）】
2007099673.tif 000011
【図９（ｂ）】
2007099673.tif 000012
【図１０】
2007099673.tif 000013
【図１１】
2007099673.tif 000014
【図１２】
2007099673.tif 000015
【図１３】
2007099673.tif 000016
【図１４】
2007099673.tif 000017
【図１５】
2007099673.tif 000018
【図１６】
2007099673.tif 000019
【国際調査報告】
2007099673.tif 000020
2007099673.tif 000021
2007099673.tif 000022
2007099673.tif 000023
2007099673.tif 000024
2007099673.tif 000025
2007099673.tif 000026
2007099673.tif 000027